(57)【要約】【課題】撮像領域中における明るさのムラを軽減し、より好適な撮像環境を実現することが可能な、制御装置、制御方法、及びプログラムを提案する。【解決手段】撮像部により撮像された画像を取得する取得部と、取得された前記画像の解析結果に基づいて、複数の補助光投光部のうち、前記撮像部の画角に基づき決定される撮像領域中の複数の部分領域それぞれにあらかじめ関連付けられた前記補助光投光部が投光する補助光の光量を制御する制御部と、を備える、制御装置。【選択図】図５
2016050972.tif 000002
【特許請求の範囲】
【請求項１】
撮像部により撮像された画像を取得する取得部と、
取得された前記画像の解析結果に基づいて、複数の補助光投光部のうち、前記撮像部の画角に基づき決定される撮像領域中の複数の部分領域それぞれにあらかじめ関連付けられた前記補助光投光部が投光する補助光の光量を制御する制御部と、
を備える、制御装置。
【請求項２】
前記制御部は、前記部分領域に対応する、取得された前記画像中の領域の輝度分布に応じて、当該部分領域にあらかじめ関連付けられた前記補助光投光部が投光する前記補助光の光量を制御する、請求項１に記載の制御装置。
【請求項３】
前記制御部は、前記画像の解析結果に基づく、前記部分領域に位置する被写体の検出結果に応じて、当該部分領域にあらかじめ関連付けられた前記補助光投光部が投光する前記補助光の光量を制御する、請求項１に記載の制御装置。
【請求項４】
前記制御部は、前記部分領域に関連付けられた前記補助光投光部から投光される前記補助光の光量を逐次変化させ、当該光量の変化に応じて取得される前記画像の解析結果に基づく、当該部分領域に位置する前記被写体の検出結果に応じて、当該補助光投光部が投光する前記補助光の光量を決定する、請求項３に記載の制御装置。
【請求項５】
前記被写体は人体であり、
前記制御部は、前記部分領域に位置する前記人体の少なくとも一部の部位の検出結果に応じて、当該部分領域にあらかじめ関連付けられた前記補助光投光部が投光する前記補助光の光量を制御する、請求項３または４に記載の制御装置。
【請求項６】
前記制御部は、前記補助光投光部の発光時間に基づき、当該補助光投光部から投光される前記補助光の光量を制御する、請求項１に記載の制御装置。
【請求項７】
前記制御部は、前記補助光投光部の発光量に基づき、当該補助光投光部から投光される前記補助光の光量を制御する、請求項１に記載の制御装置。
【請求項８】
前記制御部は、前記部分領域にあらかじめ関連付けられた複数の前記補助光投光部それぞれから投光される前記補助光の光量を制御する、請求項１に記載の制御装置。
【請求項９】
前記制御部は、前記部分領域に位置する被写体と、当該部分領域に関連付けられた前記複数の補助光投光部それぞれとの間の相対的な位置関係に応じて、当該被写体と当該複数の補助光投光部それぞれとの間の距離を推定し、当該距離の推定結果に応じて、当該複数の補助光投光部それぞれから投光される前記補助光の光量を制御する、請求項８に記載の制御装置。
【請求項１０】
前記制御部は、前記部分領域に位置する被写体に対して、当該部分領域に関連付けられた前記複数の補助光投光部から前記補助光が投光されることで形成される当該被写体の影それぞれを、前記画像から抽出し、抽出された当該被写体の影それぞれの濃度に応じて、当該複数の補助光投光部それぞれから投光される前記補助光の光量を制御する、請求項８に記載の制御装置。
【請求項１１】
前記制御部は、抽出された当該被写体の影それぞれの濃度の差が閾値以下となるように、前記複数の補助光投光部それぞれから投光される前記補助光の光量を制御する、請求項１０に記載の制御装置。
【請求項１２】
前記制御部は、時系列に沿って取得された複数の前記画像の解析結果に基づき、当該時系列に沿った前記部分領域中の被写体の位置の変化を推定し、当該推定結果に応じて当該部分領域にあらかじめ関連付けられた前記補助光投光部が投光する前記補助光の光量を制御する、請求項１に記載の制御装置。
【請求項１３】
前記制御部は、あらかじめ推定された前記部分領域中における前記被写体の位置と、所定の期間中に時系列に沿って取得された複数の前記画像間における当該画像中の前記被写体の変化とに応じて、当該部分領域中の当該被写体の位置の変化を推定する、請求項１２に記載の制御装置。
【請求項１４】
前記制御部は、前記部分領域中の被写体と、当該部分領域にあらかじめ関連付けられた前記補助光投光部との間の距離が閾値未満となった場合には、当該補助光投光部からの前記補助光の投光を抑制する、請求項１に記載の制御装置。
【請求項１５】
前記複数の補助光投光部のうち、少なくともいずれかを備える、請求項１に記載の制御装置。
【請求項１６】
前記撮像部を備える、請求項１に記載の制御装置。
【請求項１７】
撮像部により撮像された画像を取得することと、
プロセッサが、取得された前記画像の解析結果に基づいて、複数の補助光投光部のうち、前記撮像部の画角に基づき決定される撮像領域中の複数の部分領域それぞれにあらかじめ関連付けられた前記補助光投光部が投光する補助光の光量を制御することと、
を含む、制御方法。
【請求項１８】
コンピュータに、
撮像部により撮像された画像を取得することと、
取得された前記画像の解析結果に基づいて、複数の補助光投光部のうち、前記撮像部の画角に基づき決定される撮像領域中の複数の部分領域それぞれにあらかじめ関連付けられた前記補助光投光部が投光する補助光の光量を制御することと、
を実行させる、プログラム。
【発明の詳細な説明】
【技術分野】
【０００１】
本開示は、制御装置、制御方法、及びプログラムに関する。
【背景技術】
【０００２】
近年では、デジタルスチルカメラやデジタルビデオカメラのような撮像装置が広く普及している。このような撮像装置では、例えば、絞りやシャッタースピード等の露出条件を制御することで、画像中に撮像される被写体の明るさを制御する場合がある。また、撮像装置の中には、被写体に対して所謂補助光を投光することで、照度を補うことが可能なものもある。
【０００３】
また、他の方法として、撮像された画像に対して補正処理を施すことで、当該画像中に撮像された被写体の明るさを制御する方法もある。例えば、特許文献１には、撮像された画像に対して補正処理を施すことで、当該画像の明るさ（換言すると、画像中に撮像された被写体の明るさ）を制御する方法の一例が開示されている。
【先行技術文献】
【特許文献】
【０００４】
【特許文献１】特開２００９−７１４００号公報
【発明の概要】
【発明が解決しようとする課題】
【０００５】
一方で、撮像装置により画像として撮像される領域（以降では、「撮像領域」と呼ぶ場合がある）は、必ずしも全体が一様の明るさで照明されているとは限らない。このような状況下では、例えば、露出条件の制御のように、撮像領域全体の明るさを一律に制御したとしても、当該撮像領域中に存在する複数の被写体それぞれが、適切な明るさ（露出）で撮像されるとは限らない。
【０００６】
そこで、本開示では、撮像領域中における明るさのムラを軽減し、より好適な撮像環境を実現することが可能な、制御装置、制御方法、及びプログラムを提案する。
【課題を解決するための手段】
【０００７】
本開示によれば、撮像部により撮像された画像を取得する取得部と、取得された前記画像の解析結果に基づいて、複数の補助光投光部のうち、前記撮像部の画角に基づき決定される撮像領域中の複数の部分領域それぞれにあらかじめ関連付けられた前記補助光投光部が投光する補助光の光量を制御する制御部と、を備える、制御装置が提供される。
【０００８】
また、本開示によれば、撮像部により撮像された画像を取得することと、プロセッサが、取得された前記画像の解析結果に基づいて、複数の補助光投光部のうち、前記撮像部の画角に基づき決定される撮像領域中の複数の部分領域それぞれにあらかじめ関連付けられた前記補助光投光部が投光する補助光の光量を制御することと、を含む、制御方法が提供される。
【０００９】
また、本開示によれば、コンピュータに、撮像部により撮像された画像を取得することと、取得された前記画像の解析結果に基づいて、複数の補助光投光部のうち、前記撮像部の画角に基づき決定される撮像領域中の複数の部分領域それぞれにあらかじめ関連付けられた前記補助光投光部が投光する補助光の光量を制御することと、を実行させる、プログラムが提供される。
【発明の効果】
【００１０】
以上説明したように本開示によれば、撮像領域中における明るさのムラを軽減し、より好適な撮像環境を実現することが可能な、制御装置、制御方法、及びプログラムが提供される。
【００１１】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１２】
【図１】本開示の第１の実施形態に係る撮像装置の概要について説明するための説明図である。
【図２】同実施形態に係る撮像装置の概要について説明するための説明図である。
【図３】同実施形態に係る撮像装置の概要について説明するための説明図である。
【図４】図３に示す例における、各補助光投光部の発光タイミングの一例を示した、概略的なタイミングチャートである。
【図５】同実施形態に係る撮像装置の概要について説明するための説明図である。
【図６】図５に示す例における、各補助光投光部の発光タイミングの一例を示した、概略的なタイミングチャートである。
【図７】同実施形態に係る撮像装置の機能構成の一例を示したブロック図である。
【図８】同実施形態に係る撮像装置の一連の処理の流れの一例を示したフローチャートである。
【図９】同実施形態に係る変形例１に係る情報処理装置の概要について説明するための説明図である。
【図１０】同実施形態に係る変形例２に係る撮像装置の概要について説明するための説明図である。
【図１１】同実施形態に係る変形例２に係る撮像装置の概要について説明するための説明図である。
【図１２】本開示の第２の実施形態に係る撮像装置の概要について説明するための説明図である。
【図１３】同実施形態に係る撮像装置の概要について説明するための説明図である。
【図１４】同実施形態に係る撮像装置の概要について説明するための説明図である。
【図１５】同実施形態に係る撮像装置の概要について説明するための説明図である。
【図１６】同実施形態に係る撮像装置の機能構成の一例を示したブロック図である。
【図１７】同実施形態に係る撮像装置の一連の処理の流れの一例を示したフローチャートである。
【図１８】同実施形態の変形例に係る撮像装置の概要について説明するための説明図である。
【図１９】本開示の各実施形態に係る撮像装置のハードウェア構成の一例を示した図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
なお、説明は以下の順序で行うものとする。
１．第１の実施形態
１．１．概要
１．２．機能構成
１．３．処理
１．４．変形例
１．４．１．変形例１：撮像装置の適用例
１．４．２．変形例２：補助光の制御例
１．４．３．変形例３：補助光の制御例
１．５．まとめ
２．第２の実施形態
２．１．概要
２．２．機能構成
２．３．処理
２．４．変形例
２．５．まとめ
３．ハードウェア構成
４．まとめ
【００１５】
＜１．第１の実施形態＞
［１．１．概要］
本開示の第１の実施形態に係る撮像装置の特徴をよりわかりやすくするために、まず、概要として、本実施形態に係る撮像装置の課題について、図１を参照しながら説明する。図１は、本実施形態に係る撮像装置の概要について説明するための説明図である。
【００１６】
図１において、参照符号ｒ１１は、撮像装置１０により画像として撮像される領域（即ち、撮像領域）を模式的に示している。撮像領域ｒ１１は、例えば、撮像装置１０の画角に基づき決定される。また、参照符号ｕ１１及びｕ１２は、撮像装置１０の撮像領域ｒ１１中に存在する被写体を模式的に示している。
【００１７】
なお、本説明では、本実施形態に係る撮像装置１０の特徴をよりわかりやすくするために、図１に示すように、被写体ｕ１１が、被写体ｕ１２よりも撮像装置１０により近い位置に存在するものとして説明する。
【００１８】
また、図１に示す例は、撮像装置１０の位置から被写体ｕ１１及びｕ１２を参照した場合に、当該被写体ｕ１１及びｕ１２がそれぞれ異なる明るさで照明されている状態を示している。このとき、撮像装置１０の位置から被写体ｕ１１及びｕ１２を参照した場合に、被写体ｕ１２よりも被写体ｕ１１がより明るくなるように、当該被写体ｕ１１及びｕ１２が照明されているものとする。
【００１９】
図１に示すように、明るさの異なる被写体ｕ１１及びｕ１２が存在する状況下において、撮像装置１０により撮像される画像中における被写体ｕ１１及びｕ１２それぞれを、適切な明るさ（露出）に制御することが困難な場合がある。
【００２０】
具体的な一例として、絞りやシャッタースピード等の露出条件を変更することで、撮像装置１０により撮像される画像中における被写体ｕ１１及びｕ１２それぞれの明るさ（露出）を制御する場合に着目して説明する。
【００２１】
例えば、図１において、より明るく照明されている被写体ｕ１１を適切な露出で撮像する場合には、撮像装置１０は、撮像素子が受光する光量を制限するために、絞りをより絞り込み、シャッタースピードがより速くなるように露出条件を制御する。これに対して、より暗く照明されている被写体ｕ１２を適切な露出で撮像する場合には、撮像装置１０は、撮像素子が受光する光量がより多くなるように制御するために、絞りを開放し、シャッタースピードがより遅くなるように露出条件を制御する。
【００２２】
即ち、明るさの異なる被写体ｕ１１及びｕ１２のそれぞれを適切な露出で撮像するための露出条件は互いに異なる。そのため、例えば、被写体ｕ１１が適切な露出で撮像されるように露出条件が設定された場合には、被写体ｕ１１よりもより暗い被写体ｕ１２は、所謂露出アンダーの状態で画像中に撮像される（即ち、より暗く撮像される）こととなる。これに対して、被写体ｕ１２が適切な露出で撮像されるように露出条件が設定された場合には、被写体ｕ１２よりもより明るい被写体ｕ１１は、所謂露出オーバーの状態で画像中に撮像される（即ち、より明るく撮像される）こととなる。
【００２３】
このように、露出条件の制御により画像中に被写体ｕ１１及びｕ１２それぞれの露出（明るさ）を制御する場合には、露出条件が一律に制御されるため、被写体ｕ１１及びｕ１２それぞれを、適切な露出に制御することが困難な場合がある。
【００２４】
また、他の方法として、撮像領域ｒ１１中の被写体ｕ１１及びｕ１２に対して補助光を投光することで、被写体ｕ１１及びｕ１２それぞれの明るさ（照度）を補う方法が挙げられる。この場合には、補助光を投光する補助光投光部（即ち、光源）により近い被写体ほど、当該補助光によって、より明るくなるように照明される。
【００２５】
例えば、図１において、補助光投光部が撮像装置１０に設けられている場合には、当該補助光投光部から投光される補助光により、被写体ｕ１２よりも被写体ｕ１１がより明るくなるように照明されることとなる。そのため、例えば、被写体ｕ１１が適切な露出で撮像されるように補助光の光量を制御した場合には、被写体ｕ１２を照明するために十分な光量が得られずに、当該被写体ｕ１２が所謂露出アンダーの状態で画像中に撮像されることとなる。これに対して、被写体ｕ１２が適切な露出で撮像されるように補助光の光量を制御した場合には、被写体ｕ１１には過剰な光量の補助光が投光され、被写体ｕ１１が所謂露出オーバーの状態で画像中に撮像されることとなる。
【００２６】
このように、補助光を投光することで、被写体ｕ１１及びｕ１２それぞれの露出（明るさ）を制御する場合においても、被写体ｕ１１及びｕ１２それぞれを、適切な露出に制御することが困難な場合がある。
【００２７】
本実施形態に係る撮像装置１０は、以上のような状況を鑑みてなされたものであり、撮像領域中において明るさにムラがあるような状況下においても、当該明るさのムラを軽減し、より好適な撮像環境を実現することを目的とする。
【００２８】
具体的には、本実施形態に係る撮像装置１０は、撮像領域ｒ１１を複数の部分領域に分割し、当該部分領域それぞれに対して、部分領域ごとに異なる補助光投光部により補助光を投光することで、当該部分領域ごとに明るさを制御する。
【００２９】
例えば、図２は、本実施形態に係る撮像装置１０の概要について説明するための説明図である。図２に示す例では、撮像装置１０は、撮像領域ｒ１１を複数の部分領域ｒ２１ａ及びｒ２１ｂに分割し、当該部分領域ｒ２１ａ及びｒ２１ｂそれぞれに対して、互いに異なる補助光投光部により補助光を投光する。
【００３０】
このとき、本実施形態に係る撮像装置１０は、撮像した撮像領域ｒ１１の画像（例えば、スルー画像）を解析し、当該画像の解析結果に基づき、部分領域ｒ２１ａ及びｒ２１ｂそれぞれに対して投光される補助光の光量を個々に制御する。具体的には、撮像装置１０は、撮像した画像中の部分領域ｒ２１に対応する領域（以降では、単に「画像中の部分領域ｒ２１」と記載する場合がある）の輝度分布に応じて、当該部分領域ｒ２１に対して投光される補助光の光量を制御する。
【００３１】
例えば、図３は、本実施形態に係る撮像装置１０の概要について説明するための説明図であり、図２に示す例において、撮像装置１０が、部分領域ｒ２１ａ及びｒ２１ｂそれぞれに対して同じ光量の補助光を投光した場合の一例を示している。具体的には、図３は、部分領域ｒ２１ａ及びｒ２１ｂそれぞれに対応する補助光投光部の発光量と、当該部分領域ｒ２１ａ及びｒ２１ｂそれぞれの露出と、当該部分領域ｒ２１ａ及びｒ２１ｂそれぞれの輝度分布との関係を模式的に示している。
【００３２】
図３の上段の図は、部分領域ｒ２１ａ及びｒ２１ｂに対して補助光を投光する各補助光投光部の発光状態を模式的に示している。なお、本説明では、図３の上段に示すように、部分領域ｒ２１ａに対して補助光を投光する補助光投光部（光源）を「補助光投光部１３ａ」とし、部分領域ｒ２１ｂに対して補助光を投光する補助光投光部（光源）を「補助光投光部１３ｂ」とする。なお、以降の説明では、補助光投光部１３ａ及び１３ｂを特に区別しない場合には、単に「補助光投光部１３」と記載する場合がある。
【００３３】
また、図３の中段の図は、撮像装置１０により撮像された画像を模式的に示しており、具体的には、補助光投光部１３ａ及び１３ｂからの補助光の投光に伴う、画像中における被写体ｕ１１及びｕ１２の露出（即ち、明るさ）の一例を模式的に示している。また、図３の下段は、図３の中段に示した画像の輝度分布の一例を模式的に示している。なお、図３の下段に示した輝度分布の縦軸は、輝度を相対値として模式的に示している。また、図３の中段に示した画像の横方向の位置（座標）と、図３の下段に示した横軸上の位置とが対応している。
【００３４】
また、図４は、図３に示す例における、補助光投光部１３ａ及び１３ｂそれぞれの発光タイミングの一例を示した、概略的なタイミングチャートである。なお、図４の横軸は時間を示している。図４に示す例は、補助光投光部１３ａ及び１３ｂのそれぞれが、互いに同期したタイミングで、同じ光量の補助光を投光する場合の一例について示している。
【００３５】
図３及び図４に示すように、部分領域ｒ２１ａ及びｒ２１ｂそれぞれに対して同じ光量の補助光が投光された場合には、補助光の光源（即ち、補助光投光部１３）により近い被写体ほど、当該補助光によって、より明るくなるように照明される。例えば、図３に示す例の場合には、図２に示すように、被写体ｕ１１が、被写体ｕ１２よりも撮像装置１０（即ち、補助光の光源である補助光投光部１３）のより近くに位置する。そのため、撮像装置１０が撮像した画像中における被写体ｕ１１の輝度をＩ１１、被写体ｕ１２の輝度をＩ１２とした場合には、図３の下段の輝度分布に示すように、「（被写体ｕ１１の輝度Ｉ１１）＞（被写体ｕ１２の輝度Ｉ１２）」となる。
【００３６】
本実施形態に係る撮像装置１０は、撮像した撮像領域ｒ１１の画像（例えば、スルー画像）を解析することで、図３の下段に示したような撮像領域ｒ１１の輝度分布（換言すると、部分領域ｒ２１ａ及びｒ２１ｂそれぞれの輝度分布）を生成する。そして、撮像装置１０は、生成した輝度分布に応じて、各部分領域ｒ２１に対応した補助光投光部１３が投光する補助光の光量を制御する。
【００３７】
例えば、図５は、本実施形態に係る撮像装置１０の概要について説明するための説明図であり、撮像装置１０による各補助光投光部１３から投光される補助光の光量の制御内容の一例を示している。例えば、図５に示す例では、撮像装置１０は、画像中に撮像される被写体ｕ１１及びｕ１２それぞれの輝度が略等しくなるように、各部分領域ｒ２１に対応した補助光投光部１３から投光される補助光の光量を制御している。
【００３８】
具体的には、部分領域ｒ２１ａには被写体ｕ１１が存在しており、撮像される画像中の対応する領域には、比較的輝度の高い画素（ピクセル）が分布することとなる。そのため、例えば、撮像装置１０は、当該部分領域ｒ２１ａに投光される補助光の光量を抑えることで、被写体ｕ１１が図３に示す例に比べてより暗く撮像されるように、当該部分領域ｒ２１ａに対応する補助光投光部１３ａの補助光の投光に係る動作を制御する。
【００３９】
また、部分領域ｒ２１ｂには被写体ｕ１２が存在しており、撮像される画像中の対応する領域には、比較的輝度の低い画素（ピクセル）が分布することとなる。そのため、例えば、撮像装置１０は、当該部分領域ｒ２１ｂに投光される補助光の光量を増やすことで、被写体ｕ１２が図３に示す例に比べてより明るく撮像されるように、当該部分領域ｒ２１ｂに対応する補助光投光部１３ｂの補助光の投光に係る動作を制御する。
【００４０】
例えば、図６は、図５に示す例における、補助光投光部１３ａ及び１３ｂそれぞれの発光タイミングの一例を示した、概略的なタイミングチャートである。なお、図６の横軸は、図４に示す例と同様に時間を示している。図６に示す例では、撮像装置１０は、補助光投光部１３ａ及び１３ｂそれぞれの発光時間を制御することで、各補助光投光部１３から投光される補助光の光量を制御している。
【００４１】
具体的な一例として、撮像装置１０は、補助光投光部１３ａの発光時間を、図４に示す例に比べて短くなるように制御することで、当該補助光投光部１３ａから部分領域ｒ２１ａに投光される補助光の光量を抑えている。また、撮像装置１０は、補助光投光部１３ｂの発光時間を、図４に示す例に比べて長くなるように制御することで、当該補助光投光部１３ｂから部分領域ｒ２１ｂに投光される補助光の光量を増やしている。
【００４２】
なお、図６に示した例はあくまで一例であり、撮像装置１０が、各補助光投光部１３から投光される補助光の光量を制御できれば、その方法は特に限定されない。具体的な一例として、撮像装置１０は、補助光投光部１３の発光量（例えば、光源を発光させるための電流値）を制御することで、当該補助光投光部１３から投光される補助光の光量を制御してもよい。もちろん、撮像装置１０は、補助光投光部１３の発光量と、当該補助光投光部１３の発光時間との双方を制御することで、当該補助光投光部１３から投光される補助光の光量を制御してもよい。
【００４３】
このような制御に基づき、撮像装置１０は、図５に示すように、画像中に撮像される各部分領域ｒ２１中の被写体（即ち、被写体ｕ１１及びｕ１２）の輝度が、あらかじめ決められた輝度値Ｉ１３となるように制御する。これにより、画像中に撮像される各部分領域ｒ２１中の被写体の輝度が略等しくなるように制御される。なお、輝度値Ｉ１３は、撮像装置１０の利用形態に応じてあらかじめ決定し、撮像装置１０が読み出し可能な領域に記憶させておけばよい。また、他の一例として、輝度値Ｉ１３は、ユーザ操作に応じた事前の設定に基づき決定されてもよい。
【００４４】
なお、上記に示す例では、撮像領域ｒ１１を、２つの部分領域ｒ２１ａ及びｒ２１ｂに分割する例について説明した。しかしながら、当該撮像領域ｒ１１が複数の部分領域ｒ２１に分割され、かつ、各部分領域ｒ２１に対して互いに異なる補助光投光部１３から補助光が投光される構成であれば、部分領域ｒ２１及び補助光投光部１３の数は特に限定されない。また、一の部分領域ｒ２１に対して関連付けられる補助光投光部１３の数も特に限定されず、少なくとも一部の部分領域ｒ２１に対して複数の補助光投光部１３が関連付けられていてもよい。
【００４５】
以上、説明したように、本実施形態に係る撮像装置１０は、撮像領域ｒ１１を複数の部分領域ｒ２１に分割し、当該部分領域ｒ２１それぞれに対して、互いに異なる補助光投光部１３を事前に関連付ける。そして、撮像装置１０は、各部分領域ｒ２１それぞれに対して、当該部分領域ｒ２１に関連付けられた補助光投光部１３から補助光を投光することで、当該部分領域ｒ２１ごとに明るさを制御する。
【００４６】
また、このとき、撮像装置１０は、撮像された撮像領域ｒ１１の画像中における、部分領域ｒ２１それぞれの輝度分布に応じて、当該部分領域ｒ２１に関連付けられた補助光投光部１３から投光される補助光の光量を制御する。このような構成により、本実施形態に係る撮像装置１０は、撮像領域中において明るさにムラがあるような状況下においても、当該明るさのムラを軽減し、より好適な撮像環境を実現することが可能となる。
【００４７】
以上、図１〜図６を参照して、本実施形態に係る撮像装置１０の概要について説明した。なお、以降では、本実施形態に係る撮像装置１０について、さらに詳しく説明する。
【００４８】
［１．２．機能構成］
まず、図７を参照して、本実施形態に係る撮像装置１０の機能構成の一例について説明する。図７は、本実施形態に係る撮像装置１０の機能構成の一例を示したブロック図である。
【００４９】
図７に示すように、本実施形態に係る撮像装置１０は、制御部１１と、複数の補助光投光部１３と、撮像部１５とを含む。また、制御部１１は、同期制御部１１１と、補助光制御部１１３と、撮像制御部１１５と、解析部１１７とを含む。
【００５０】
なお、本説明では、前述した図２〜図６に示す例と同様に、撮像装置１０は、複数の補助光投光部１３として、補助光投光部１３ａ及び１３ｂを含むものとして説明する。また、補助光投光部１３ａは、撮像領域ｒ１１中の部分領域ｒ２１ａに対して補助光を投光するように設けられている（即ち、設置位置、向き、及び補助光の照射角等が設定されている）ものとして説明する。同様に、補助光投光部１３ｂは、撮像領域ｒ１１中の部分領域ｒ２１ｂに対して補助光を投光するように設けられているものとする。
【００５１】
撮像部１５は、ＣＭＯＳ（Complementary  Metal-Oxide  Semiconductor）イメージセンサやＣＣＤ（Charge  Coupled  Device）イメージセンサ等の撮像素子と、レンズ等の光学系とを含み、被写体の画像（例えば、静止画像や動画像）を撮像するための構成である。
【００５２】
補助光投光部１３は、被写体に対して補助光を投光するための構成であり、当該補助光を出射する光源を含む。なお、補助光投光部１３が被写体に対して投光する補助光の種別は特に限定されない。具体的な一例として、補助光投光部１３は、所謂可視光を補助光として投光するように構成されていてもよい。また、他の一例として、補助光投光部１３は、赤外光（ＩＲ：infrared）等のような不可視光を補助光として投光するように構成されていてもよい。
【００５３】
同期制御部１１１は、撮像部１５が画像を撮像するタイミングと、複数の補助光投光部１３のそれぞれが補助光を投光するタイミングとを連動させる（例えば、同期させる）ための同期信号を生成する。なお、このとき同期制御部１１１は、撮像部１５のシャッタースピードと、各補助光投光部１３が補助光を投光する周期（以降では、「補助光投光部１３の発光周期」と記載する場合がある）とのうち少なくともいずれかに応じて、同期信号を生成してもよい。
【００５４】
そして、同期制御部１１１は、生成した同期信号を、後述する撮像制御部１１５と、補助光制御部１１３とに供給する。
【００５５】
撮像制御部１１５は、撮像部１５の画像の撮像に係る動作を制御する（例えば、撮像タイミング、撮像時間、露出条件等を制御する）ための構成である。
【００５６】
撮像制御部１１５は、同期制御部１１１から供給される制御信号に同期して、撮像部１５の撮像タイミングを制御する。このとき、撮像制御部１１５は、供給された当該制御信号に基づき、撮像部１５の撮像時間を制御してもよい。このような構成により、撮像制御部１１５は、例えば、補助光投光部１３が補助光を投光するタイミングに同期して、撮像部１５に画像を撮像させることが可能となる。
【００５７】
また、撮像制御部１１５は、あらかじめ決められたタイミングで、撮像部１５に撮像領域ｒ１１の画像を撮像させ、撮像された当該画像を後述する解析部１１７に出力する。なお、このとき撮像部１５が撮像する画像は、後述する解析部１１７が当該画像に対して解析処理（例えば、前述した輝度分布の生成に係る処理）を実行できる程度のデータ量を有していれば、当該画像のサイズや解像度は特に限定されない。具体的な一例として、撮像制御部１１５は、撮像部１５に所謂スルー画像（即ち、間引き画像）を撮像させ、当該スルー画像を解析部１１７に出力してもよい。なお、撮像制御部１１５が、「取得部」の一例に相当する。
【００５８】
解析部１１７は、撮像部１５により撮像された撮像領域ｒ１１の画像を、撮像制御部１１５から取得する。解析部１１７は、取得した撮像領域ｒ１１の画像に対して、画像解析処理を施すことで、当該撮像領域ｒ１１中の輝度分布を示したデータ（以降では、単に「輝度分布」を記載する場合がある）を生成する。そして、解析部１１７は、生成した撮像領域ｒ１１の輝度分布を、補助光制御部１１３に出力する。
【００５９】
補助光制御部１１３は、複数の補助光投光部１３（例えば、補助光投光部１３ａ及び１３ｂ）それぞれの、補助光の投光に係る動作を制御する（例えば、補助光投光部１３の発光タイミング、発光時間、及び発光量を制御する）ための構成である。
【００６０】
補助光制御部１１３は、同期制御部１１１から供給される制御信号に同期して、複数の補助光投光部１３それぞれが補助光を投光するタイミング（即ち、各補助光投光部１３の発光タイミング）を制御する。このような構成により、補助光制御部１１３は、例えば、撮像部１５が画像を撮像するタイミングに同期して、各補助光投光部１３に補助光を投光させることが可能となる。
【００６１】
また、補助光制御部１１３は、あらかじめ決められたタイミングで撮像部１５により撮像された画像の解析結果に基づき生成された撮像領域ｒ１１の輝度分布を、解析部１１７から取得する。補助光制御部１１３は、取得した撮像領域ｒ１１の輝度分布に基づき、当該撮像領域ｒ１１中の各部分領域ｒ２１の輝度分布を特定する。
【００６２】
そして、補助光制御部１１３は、各部分領域ｒ２１の輝度分布に応じて、当該部分領域ｒ２１にあらかじめ関連付けられた補助光投光部１３から投光される補助光の光量を特定し、特定した補助光の光量に応じて、当該補助光投光部１３の動作を制御する。
【００６３】
具体的な一例として、図３及び図５に示す例の場合には、補助光制御部１１３は、部分領域ｒ２１ａの輝度分布に応じて、画像中に撮像される当該部分領域ｒ２１ａ中の被写体の輝度が所定の輝度値Ｉ１３となるように、補助光の光量を特定する。なお、補助光の光量と、画像中における被写体の輝度との関係については、例えば、事前の実験等に基づき特定し当該関係を示す制御情報を、補助光制御部１１３が読み出し可能な領域に記憶させておけばよい。
【００６４】
そして、補助光制御部１１３は、部分領域ｒ２１ａに対して特定した光量の補助光が投光されるように、当該部分領域ｒ２１ａに関連付けられた（即ち、部分領域ｒ２１ａに補助光を投光する）補助光投光部１３ａの動作を制御する。
【００６５】
同様に、補助光制御部１１３は、部分領域ｒ２１ｂの輝度分布に応じて、画像中に撮像される当該部分領域ｒ２１ｂ中の被写体の輝度が所定の輝度値Ｉ１３となるように、補助光の光量を特定する。そして、補助光制御部１１３は、部分領域ｒ２１ｂに対して特定した光量の補助光が投光されるように、当該部分領域ｒ２１ｂに関連付けられた補助光投光部１３ｂの動作を制御する。
【００６６】
なお、複数の補助光投光部１３が補助光を投光する、撮像領域ｒ１１中の領域（即ち、部分領域ｒ２１）は、撮像部１５に対する補助光投光部１３の相対位置、当該補助光投光部１３の向き、及び当該補助光投光部１３の照射角に応じてあらかじめ特定できる。即ち、補助光投光部１３は、上記に示す方法に基づき、あらかじめ特定された、部分領域ｒ２１と補助光投光部１３との対応関係に応じて、部分領域ｒ２１ごとに補助光投光部１３の動作を制御すればよい。
【００６７】
なお、このとき、補助光制御部１１３は、各補助光投光部１３が投光する補助光の光量を制御できれば、その方法は特に限定されない。具体的な一例として、補助光制御部１１３は、各補助光投光部１３の発光時間を制御することで、当該補助光投光部１３が投光する補助光の光量を制御してもよい。また、他の一例として、補助光制御部１１３は、各補助光投光部１３の発光量を制御することで、当該補助光投光部１３が投光する補助光の光量を制御してもよい。もちろん、補助光制御部１１３は、各補助光投光部１３の発光時間と、当該補助光投光部１３の発光量との双方を制御することで、当該補助光投光部１３が投光する補助光の光量を制御してもよい。
【００６８】
以上のような構成により、本実施形態に係る撮像装置１０は、撮像領域ｒ１１中の部分領域ｒ２１ごとに、当該部分領域ｒ２１に投光される補助光の光量を制御する。このような構成により、本実施形態に係る撮像装置１０は、撮像領域中において明るさにムラがあるような状況下においても、当該明るさのムラを軽減し、より好適な撮像環境を実現することが可能となる。
【００６９】
なお、撮像装置１０が、各補助光投光部１３から投光される補助光の光量を制御するタイミングは特に限定されない。具体的な一例として、撮像装置１０は、あらかじめ決められたタイミングごとに撮像領域ｒ１１の画像を撮像し、当該画像の解析結果に応じて各補助光投光部１３から投光される補助光の光量を制御してもよい。
【００７０】
また、他の一例として、撮像装置１０は、あらかじめ決められた処理をトリガとして、当該処理に連動して、各補助光投光部１３から投光される補助光の光量を制御してもよい。具体的な一例として、撮像装置１０は、ユーザ操作に基づき画像の撮像が指示された場合に、当該画像を撮像する直前に、撮像領域ｒ１１のスルー画像を撮像し、当該スルー画像の解析結果に応じて各補助光投光部１３から投光される補助光の光量を制御してもよい。
【００７１】
なお、図７では、撮像装置１０が各補助光投光部１３を含む例について説明しているが、撮像装置１０の制御に基づき各補助光投光部１３が動作可能であれば、当該補助光投光部１３は、撮像装置１０の外部に設けられていてもよい。具体的な一例として、補助光投光部１３は、所謂外付けの補助光投光器として構成されていてもよい。
【００７２】
同様に、撮像部１５は、撮像装置１０の外部に設けられていてもよい。また、撮像部１５のうち、一部の構成を撮像装置１０の外部に設ける構成としてもよい。具体的な一例として、撮像部１５のうち、イメージセンサ等の撮像素子を撮像装置１０に設け、レンズ等の光学系を撮像装置１０の外部に外付けする構成とすることで、当該撮像装置１０を、所謂レンズ交換式の撮像装置として構成してもよい。
【００７３】
また、撮像装置１０は、撮像領域ｒ１１中の各部分領域ｒ２１と、各補助光投光部１３との間の対応関係を動的に算出してもよい。具体的な一例として、撮像装置１０は、撮像部１５と各補助光投光部１３との間の相対的な位置関係（例えば、位置や向き）に応じて、当該検出結果と、各補助光投光部１３の照射角を示す情報とに応じて、各補助光投光部１３が補助光を投光する部分領域ｒ２１を特定すればよい。
【００７４】
なお、この場合には、撮像装置１０が、撮像部１５と各補助光投光部１３との間の相対的な位置関係を特定する方法は特に限定されない。具体的な一例として、撮像装置１０は、ＧＰＳ（Global  Positioning  System）等の技術に基づき取得された、撮像部１５と各補助光投光部１３それぞれの位置情報に基づき、撮像部１５と各補助光投光部１３との間の相対的な位置関係を特定してもよい。また、撮像装置１０は、各補助光投光部１３の照射角を示す情報を、当該補助光投光部１３それぞれから取得すればよい。
【００７５】
また、撮像装置１０は、各補助光投光部１３に補助光を順次投光させ、当該補助光の投光ごとに撮像領域ｒ１１の画像を撮像し、当該画像を解析することで、各部分領域ｒ２１と、各補助光投光部１３との間の対応関係を動的に算出してもよい。この場合には、撮像装置１０は、撮像領域ｒ１１中における補助光により照明された部分領域ｒ２１と、当該補助光を投光した補助光投光部１３とを関連付ければよい。
【００７６】
また、他の一例として、撮像部１５と各補助光投光部１３との間の相対的な位置関係を示す情報を、撮像装置１０が読み出し可能な位置（例えば、撮像装置１０内）にあらかじめ記憶させておいてもよい。特に、撮像部１５と各補助光投光部１３とが撮像装置１０に内蔵されている場合には、撮像部１５と各補助光投光部１３との間の相対的な位置関係は常に一定となる場合もある。そのため、当該位置関係を示す情報を事前に生成しておくことが可能であることは言うまでもない。これは、各補助光投光部１３の照射角についても同様である。
【００７７】
以上、図７を参照して、本実施形態に係る撮像装置１０の機能構成の一例について説明した。
【００７８】
［１．３．処理］
次に、図８を参照して、本実施形態に係る撮像装置１０の一連の処理の流れの一例について、特に、当該撮像装置１０が、各補助光投光部１３が投光する補助光の光量を制御する動作に着目して説明する。図８は、本実施形態に係る撮像装置１０の一連の処理の流れの一例を示したフローチャートである。
【００７９】
（ステップＳ１０１）
撮像制御部１１５は、あらかじめ決められたタイミングで、撮像部１５に撮像領域ｒ１１の画像を撮像させ、撮像された当該画像を解析部１１７に出力する。なお、このとき撮像部１５が撮像する画像は、後述する解析部１１７が当該画像に基づき撮像領域ｒ１１の輝度分布を生成できれば、当該画像のサイズや解像度は特に限定されない。具体的な一例として、撮像制御部１１５は、撮像部１５に所謂スルー画像（即ち、間引き画像）を撮像させ、当該スルー画像を解析部１１７に出力してもよい。
【００８０】
（ステップＳ１０３）
解析部１１７は、撮像部１５により撮像された撮像領域ｒ１１の画像を、撮像制御部１１５から取得する。解析部１１７は、取得した撮像領域ｒ１１の画像に対して、画像解析処理を施すことで、当該撮像領域ｒ１１の輝度分布を生成する。そして、解析部１１７は、生成した撮像領域ｒ１１の輝度分布を、補助光制御部１１３に出力する。
【００８１】
補助光制御部１１３は、あらかじめ決められたタイミングで撮像部１５により撮像された画像の解析結果に基づき生成された撮像領域ｒ１１の輝度分布を、解析部１１７から取得する。補助光制御部１１３は、取得した撮像領域ｒ１１の輝度分布に基づき、当該撮像領域ｒ１１中の各部分領域ｒ２１の輝度分布を特定する。
【００８２】
（ステップＳ１０５）
補助光制御部１１３は、各部分領域ｒ２１の輝度分布に応じて、当該部分領域ｒ２１にあらかじめ関連付けられた補助光投光部１３から投光される補助光の光量を特定する。具体的な一例として、補助光制御部１１３は、部分領域ｒ２１の輝度分布に応じて、画像中に撮像される当該部分領域ｒ２１中の被写体の輝度が所定の輝度値Ｉ１３となるように、補助光の光量を特定する。
【００８３】
（ステップＳ１０７）
そして、補助光制御部１１３は、各部分領域ｒ２１ａに対して特定した光量の補助光が投光されるように、当該部分領域ｒ２１に関連付けられた（即ち、当該部分領域ｒ２１に補助光を投光する）補助光投光部１３の動作を制御する。
【００８４】
以上のような構成により、本実施形態に係る撮像装置１０は、撮像領域ｒ１１中の部分領域ｒ２１ごとに、当該部分領域ｒ２１に投光される補助光の光量を制御する。このような構成により、本実施形態に係る撮像装置１０は、撮像領域中において明るさにムラがあるような状況下においても、当該明るさのムラを軽減し、より好適な撮像環境を実現することが可能となる。
【００８５】
以上、図８を参照して、本実施形態に係る撮像装置１０の一連の処理の流れの一例について、特に、当該撮像装置１０が、各補助光投光部１３が投光する補助光の光量を制御する動作に着目して説明した。
【００８６】
［１．４．変形例］
次に、本実施形態に係る撮像装置１０の変形例について説明する。
【００８７】
＜＜１．４．１．変形例１：撮像装置の適用例＞＞
まず、変形例１として、図９を参照して、本実施形態に係る撮像装置１０を適用した情報処理装置の一例について説明する。図９は、変形例１に係る情報処理装置の概要について説明するための説明図である。なお、図９において、ｘ方向及びｙ方向は、水平方向に沿った互いに異なる方向を示しており、ｚ方向は鉛直方向（即ち、高さ方向）を示しているものとする。また、変形例１として以下に説明する情報処理装置を、以降では「情報処理装置７０」と記載する場合がある。
【００８８】
情報処理装置７０は、各種コンテンツが表示された操作画面を所定の領域に投影することで、当該操作画面をユーザに提示する。例えば、図９に示す例では、情報処理装置７０は、水平方向に沿って延伸するテーブルの天板（以降では、「テーブルトップ」と記載する場合がある）を投影面８０として、当該投影面８０上に操作画面を投影している。
【００８９】
また、情報処理装置７０は、操作画面が投影された投影面８０上の画像を撮像装置に撮像させ、撮像された画像を解析することで、ユーザの手や指等のような操作体ｕ２１による、投影面８０上に表示された操作画面に対する操作内容を認識する。
【００９０】
具体的には、情報処理装置７０は、撮像装置により撮像された画像から、特徴的な形状のオブジェクトや、操作画面の投影面８０（例えば、テーブルトップ）上の動体を、操作体ｕ２１として抽出し、抽出した操作体ｕ２１の動作に基づき操作内容を認識してもよい。また、他の一例として、情報処理装置７０は、撮像装置により撮像された画像と、投影面８０に投影している操作画面との差分に基づき、投影された操作画面上に存在するオブジェクトを操作体ｕ２１として抽出してもよい。
【００９１】
また、情報処理装置７０に所謂測距センサ（例えば、デプスセンサ）を設け、当該測距センサの検出結果と、撮像装置により撮像された画像の解析結果とを組み合わせることで、操作体ｕ２１による操作画面に対する操作内容を認識してもよい。例えば、情報処理装置７０は、測距センサにより検出された、投影面８０までの距離と、操作体ｕ２１までの距離との差分に基づき、投影面８０と操作体ｕ２１との間のｚ方向に沿った相対的な位置関係を認識することが可能となる。
【００９２】
そして、情報処理装置７０は、認識した操作内容に基づき操作画面を更新し、更新後の操作画面を投影面８０（例えば、テーブルトップ）上に投影する。
【００９３】
以上説明した情報処理装置７０が、投影面８０に投影操作画面上の操作体ｕ２１を検出するための画像を撮像する撮像装置として、前述した本実施形態に係る撮像装置１０を適用してもよい。
【００９４】
例えば、図９は、上記した情報処理装置７０に対して、本実施形態に係る撮像装置１０を適用した場合の一例を示している。
【００９５】
図９に示す例では、情報処理装置７０が、操作画面を投影する投影面８０（例えば、テーブルトップ）上の領域が複数の部分領域ｒ２１ａ及びｒ２１に分割され、当該部分領域ｒ２１ａ及びｒ２１に対して補助光投光部１３ａ及び１３ｂが関連付けられている。具体的には、補助光投光部１３ａは、部分領域ｒ２１ａに対して補助光を投光するように設けられ、補助光投光部１３ｂは、部分領域ｒ２１ｂに対して補助光を投光するように設けられている。
【００９６】
なお、撮像装置１０の撮像領域は、少なくとも情報処理装置７０が操作画面を投影する領域を包含する。そのため、撮像装置１０の撮像領域に、複数の部分領域ｒ２１ａ及びｒ２１のそれぞれが包含されることとなる。
【００９７】
また、図９に示す例では、構成をわかりやすくするために、補助光投光部１３ａ及び１３ｂが、情報処理装置７０（ひいては、撮像装置１０）の外部に設けられているが、当該補助光投光部１３ａ及び１３ｂは、情報処理装置７０に内蔵されていてもよいことは言うまでもない。
【００９８】
このような構成により、変形例１に係る情報処理装置７０は、撮像装置１０により撮像された部分領域ｒ２１ごとの輝度分布に基づき、当該部分領域ｒ２１に関連付けられた補助光投光部１３の動作を制御する。これにより、情報処理装置７０は、投影面８０に投影された操作画面中の部分領域ｒ２１ａ及びｒ２１ｂそれぞれに対して投光される補助光の光量を個別に制御することが可能となる。
【００９９】
特に、変形例１に係る情報処理装置７０では、操作体ｕ２１の位置が逐次変化し、当該操作体ｕ２１の位置の変化（特に、撮像装置１０との間の距離の変化）に応じて、画像中に撮像される操作体ｕ２１の明るさも変化する。このような状況下においても、情報処理装置７０に対して本実施形態に係る撮像装置１０を適用することで、画像中に撮像される操作体ｕ２１の明るさ（例えば、輝度）を、逐次適切な輝度値に制御することも可能となる。即ち、変形例１に係る情報処理装置７０は、操作体ｕ２１の位置が逐次変化するような状況下においても、画像中に撮像される操作体ｕ２１の明るさ（換言すると、露出）を所定の範囲内に維持することが可能なため、当該操作体ｕ２１の認識精度の劣化を防止することが可能となる。
【０１００】
＜＜１．４．２．変形例２：補助光の制御例＞＞
次に、変形例２として、一の部分領域ｒ２１に対して複数の補助光投光部１３が補助光を投光する場合における、撮像装置１０による、各補助光投光部１３から投光される補助光の光量の制御の一例について説明する。
【０１０１】
一般的に、被写体に対して複数の方向から光を投光した場合に、各光により形成される被写体の影をより薄くする効果を得られることが知られている。変形例２に係る撮像装置１０では、このような効果を利用することで、補助光投光部１３からの補助光の投光に伴い形成される被写体ｕ１１の影が抑えられた画像の撮像を実現する。
【０１０２】
例えば、図１０は、変形例２に係る撮像装置１０の概要について説明するための説明図であり、一の部分領域ｒ２１に対して複数の補助光投光部１３が関連付けられている場合の一例を示している。なお、図１０は、一の部分領域ｒ２１に存在する被写体ｕ１１に対して、当該部分領域ｒ２１に関連付けられた複数の補助光投光部１３ａ〜１３ｃのそれぞれが補助光を投光している状態を模式的に示している。
【０１０３】
図１０において、参照符号ｒ１３ａは、補助光投光部１３ａから補助光が投光される領域、即ち、補助光投光部１３ａから投光された補助光により照明される領域を模式的に示している。同様に、参照符号ｒ１３ｂは、補助光投光部１３ｂから補助光が投光される領域を示している。また、参照符号ｒ１３ｃは、補助光投光部１３ｃから補助光が投光される領域を示している。
【０１０４】
また、図１０において、参照符号ｖ１１ａは、補助光投光部１３ａから被写体ｕ１１に対して補助光が投光されることで形成される、当該被写体ｕ１１の影を模式的に示している。同様に、参照符号ｖ１１ｂは、補助光投光部１３ｂから被写体ｕ１１に対して補助光が投光されることで形成される、当該被写体ｕ１１の影を模式的に示している。また、参照符号ｖ１１ｃは、補助光投光部１３ｃから被写体ｕ１１に対して補助光が投光されることで形成される、当該被写体ｕ１１の影を模式的に示している。なお、以降では、影ｖ１１ａ〜ｖ１１ｃを特に区別しない場合には、単に「影ｖ１１」と記載する場合がある。
【０１０５】
図１０に示すように、変形例２に係る撮像装置１０では、一の部分領域ｒ２１に関連付けられた複数の補助光投光部１３が、当該一の部分領域ｒ２１に向けて互いに異なる方向から補助光を投光するように設けられている。そして、変形例２に係る撮像装置１０は、撮像された撮像領域ｒ１１の画像を解析することで、当該解析結果に基づき、当該撮像領域ｒ１１中の一の部分領域ｒ２１に関連付けられた複数の補助光投光部１３それぞれから投光される補助光の光量を制御する。
【０１０６】
具体的な一例として、撮像装置１０は、複数の補助光投光部１３ａ〜１３ｃそれぞれからの補助光の投光に伴い、撮像領域ｒ１１の画像中に撮像された被写体ｕ１１の影ｖ１１ａ〜ｖ１１ｃを解析することで、当該補助光投光部１３ａ〜１３ｃの動作を制御する。
【０１０７】
この場合には、撮像装置１０は、撮像部１５により撮像された撮像領域ｒ１１の画像を解析することで、部分領域ｒ２１ごとに、当該部分領域ｒ２１中に存在する被写体ｕ１１の影ｖ１１を、当該画像中から抽出する。
【０１０８】
なお、撮像装置１０が、該被写体ｕ１１の影ｖ１１を抽出できれば、その方法は特に限定されない。具体的な一例として、撮像装置１０は、抽出対象となる被写体の形状特徴に基づき被写体ｕ１１を画像から抽出し、抽出した被写体ｕ１１に類似する領域を、当該被写体ｕ１１の影ｖ１１として抽出してもよい。
【０１０９】
また、画像中に撮像される被写体ｕ１１と、当該被写体ｕ１１の影ｖ１１とでは、補助光が直接投光される被写体ｕ１１の方が、当該被写体ｕ１１により補助光が遮蔽されることで形成される影ｖ１１よりも明るく撮像される。そのため、撮像装置１０は、画像中における被写体ｕ１１と形状が類似する複数の領域（即ち、被写体ｕ１１と当該被写体ｕ１１の影ｖ１１に対応する領域）とが抽出された場合には、当該複数の領域のうち、最も輝度の高い領域を、被写体ｕ１１を示す領域として識別すればよい。なお、この場合には、撮像装置１０は、抽出された複数の領域のうち、被写体ｕ１１を示す領域以外の他の領域を、当該被写体ｕ１１の影ｖ１１を示す領域として認識すればよいことは言うまでもない。
【０１１０】
部分領域ｒ２１ごとに被写体ｕ１１の影ｖ１１を抽出したら、撮像装置１０は、抽出した各影ｖ１１の濃度の差があらかじめ決められた閾値以下となるように（換言すると、略等しくなるように）各補助光投光部１３から投光される補助光の光量を制御する。なお、このとき、撮像装置１０は、部分領域ｒ２１と複数の補助光投光部１３との相対的な位置関係に応じて、抽出された複数の影ｖ１１のそれぞれが、複数の補助光投光部１３のうちいずれから投光された補助光により形成されたものであるかを認識すればよい。
【０１１１】
そして、撮像装置１０は、例えば、複数の影ｖ１１ａ〜ｖ１１ｃのうち、影ｖ１１ａが他の影ｖ１１ｂ及びｖ１１ｃに比べて濃い場合（即ち、輝度が低い場合）には、影ｖ１１ａに対応する補助光投光部１３ａから投光される補助光の光量を制限する。なお、このとき、撮像装置１０は、部分領域ｖ２１に対して投光される補助光の光量の総量を維持するために、他の補助光投光部１３ｂ及び１３ｃから投光される補助光の光量を増やしてもよい。
【０１１２】
同様に、撮像装置１０は、例えば、複数の影ｖ１１ａ〜ｖ１１ｃのうち、影ｖ１１ａが他の影ｖ１１ｂ及びｖ１１ｃに比べて薄い場合（即ち、輝度が高い場合）には、影ｖ１１ａに対応する補助光投光部１３ａから投光される補助光の光量を増やす。なお、このとき、撮像装置１０は、部分領域ｖ２１に対して投光される補助光の光量の総量を維持するために、他の補助光投光部１３ｂ及び１３ｃから投光される補助光の光量を制限してもよい。
【０１１３】
このような構成により、変形例２に係る撮像装置１０は、複数の補助光投光部１３それぞれからの補助光の投光に伴い形成される被写体ｕ１１の影ｖ１１がより抑えられた画像を撮像することが可能となる。
【０１１４】
なお、上述した変形例２に係る撮像装置１０を、前述した変形例１に係る情報処理装置７０（図９参照）に適用してもよい。例えば、図１１は、変形例２に係る撮像装置１０の概要について説明するための説明図であり、当該撮像装置１０を、前述した変形例１に係る情報処理装置７０に適用した場合の一例を示している。
【０１１５】
図１１における、参照符号ｒ１３ａ〜１３ｃは、図１０に示す例と同様に、補助光投光部１３ａ〜１３ｃから補助光が投光される領域を、それぞれ模式的に示している。
【０１１６】
また、図１１において、参照符号ｖ２１ａは、補助光投光部１３ａから操作体ｕ２１（即ち、被写体）に対して補助光が投光されることで投影面８０に形成される、当該操作体ｕ２１の影を模式的に示している。同様に、参照符号ｖ２１ｂは、補助光投光部１３ｂから操作体ｕ２１に対して補助光が投光されることで投影面８０に形成される、当該操作体ｕ２１の影を模式的に示している。また、参照符号ｖ２１ｃは、補助光投光部１３ｃから操作体ｕ２１に対して補助光が投光されることで投影面８０に形成される、当該操作体ｕ２１の影を模式的に示している。なお、以降では、影ｖ２１ａ〜ｖ２１ｃを特に区別しない場合には、単に「影ｖ２１」と記載する場合がある。
【０１１７】
図１１に示す例の場合には、撮像装置１０は、図１０に示す例と同様に、撮像された撮像領域ｒ１１の画像を解析することで、検出対象となる操作体の形状特徴に基づき、操作体ｕ２１と当該操作体ｕ２１の影ｖ１１とを示す各領域を抽出する。そして、撮像装置１０は、抽出した操作体ｕ２１と当該操作体ｕ２１の影ｖ１１とを示す各領域それぞれの輝度に基づき、当該操作体ｕ２１の影ｖ１１に対応する領域を特定すればよい。
【０１１８】
また、他の一例として、撮像装置１０は、デプスセンサ等の測距センサの検出結果により、抽出した操作体ｕ２１と当該操作体ｕ２１の影ｖ１１とを示す各領域から、当該操作体ｕ２１の影ｖ１１に対応する領域を特定してもよい。
【０１１９】
具体的には、操作体ｕ２１は、情報処理装置７０と投影面８０との間に介在することとなる。そのため、測距センサが情報処理装置７０に設けられている場合には、操作体ｕ２１は、投影面８０よりも当該測距センサに近い位置に存在することとなる。そのため、撮像装置１０は、抽出した操作体ｕ２１と当該操作体ｕ２１の影ｖ１１とを示す各領域のうち、測距センサにより近くに位置する領域を、操作体ｕ２１に対応する領域として識別し、他の領域を当該操作体ｕ２１の影ｖ１１に対応する領域と認識すればよい。
【０１２０】
なお、以降の動作は、前述した図１０に示す例と同様である。即ち、撮像装置１０は、部分領域ｒ２１ごとに抽出した操作体ｕ２１の各影ｖ２１の濃度の差があらかじめ決められた閾値以下となるように各補助光投光部１３から投光される補助光の光量を制御すればよい。
【０１２１】
このような構成により、図１１に示す例においても、撮像装置１０は、操作体ｕ２１に対して補助光が投光されることで形成される、操作体ｕ２１の影ｖ２１がより抑えられた画像を撮像することが可能となる。また、操作体ｕ２１の影ｖ２１が抑えられるため、情報処理装置７０による、撮像された画像に基づく操作体ｕ２１の認識精度を向上させることが可能となる。
【０１２２】
以上、図１０及び図１１を参照して、変形例２に係る撮像装置１０の一例について説明した。
【０１２３】
＜＜１．４．３．変形例３：補助光の制御例＞＞
次に、変形例３として、一の部分領域ｒ２１に対して複数の補助光投光部１３が補助光を投光する場合における、撮像装置１０による、補助光投光部１３から投光される補助光の制御の他の一例について説明する。前述した変形例２では、撮像装置１０は、撮像された撮像領域ｒ１１の解析結果に基づき、一の部分領域ｒ２１に関連付けられた複数の補助光投光部１３それぞれの動作を制御していた。
【０１２４】
これに対して、変形例３に係る撮像装置１０は、撮像部１５に対する被写体ｕ１１の相対位置を検出し、当該相対位置の検出結果に基づき、複数の補助光投光部１３それぞれから投光される補助光の光量を制御する。
【０１２５】
具体的には、撮像装置１０は、測距センサ（例えば、デプスセンサ）の検出結果に基づき、撮像領域ｒ１１中の部分領域ｒ２１ごとに、撮像部１５に対する当該部分領域ｒ２１中に存在する被写体ｕ１１の相対位置を特定する。
【０１２６】
また、撮像装置１０は、撮像部１５と部分領域ｒ２１中の被写体ｕ１１との間の相対位置と、当該撮像部１５と当該部分領域ｒ２１に関連付けられた補助光投光部１３との間の相対位置とに基づき、当該被写体ｕ１１と当該補助光投光部１３との間の相対位置を特定する。
【０１２７】
なお、撮像装置１０が、撮像部１５と各補助光投光部１３との間の相対的な位置関係を特定する方法については特に限定されない。具体的な一例として、撮像装置１０は、ＧＰＳ（Global  Positioning  System）等の技術に基づき取得された、撮像部１５と各補助光投光部１３それぞれの位置情報に基づき、撮像部１５と各補助光投光部１３との間の相対的な位置関係を特定してもよい。また、他の一例として、撮像部１５と各補助光投光部１３との間の相対的な位置関係を示す情報を、撮像装置１０が読み出し可能な位置（例えば、撮像装置１０内）にあらかじめ記憶させておいてもよい。
【０１２８】
そして、撮像装置１０は、部分領域ｒ２１中の被写体ｕ１１と、当該部分領域ｒ２１に関連付けられた補助光投光部１３との間の相対位置（特に、距離）に応じて、当該補助光投光部１３から投光される補助光の光量を制御する。このとき、撮像装置１０は、前述した変形例２と同様に、当該被写体ｕ１１に対して各補助光投光部１３から補助光が投光されることで形成される各影の濃度の差が、あらかじめ決められた閾値以下となるように当該各補助光の光量を制御してもよい。
【０１２９】
以上のような構成により、変形例３に係る撮像装置１０は、前述した変形例２と同様に、複数の補助光投光部１３それぞれからの補助光の投光に伴い形成される被写体ｕ１１の影ｖ１１がより抑えられた画像を撮像することが可能となる。
【０１３０】
［１．５．まとめ］
以上、説明したように、本実施形態に係る撮像装置１０は、撮像領域ｒ１１を複数の部分領域ｒ２１に分割し、当該部分領域ｒ２１それぞれに対して、互いに異なる補助光投光部１３を事前に関連付ける。そして、撮像装置１０は、各部分領域ｒ２１それぞれに対して、当該部分領域ｒ２１に関連付けられた補助光投光部１３から補助光を投光することで、当該部分領域ｒ２１ごとに明るさを制御する。
【０１３１】
また、このとき、撮像装置１０は、撮像された撮像領域ｒ１１の画像中における、部分領域ｒ２１それぞれの輝度分布に応じて、当該部分領域ｒ２１に関連付けられた補助光投光部１３から投光される補助光の光量を制御する。このような構成により、本実施形態に係る撮像装置１０は、撮像領域中において明るさにムラがあるような状況下においても、当該明るさのムラを軽減し、より好適な撮像環境を実現することが可能となる。
【０１３２】
なお、本実施形態に係る撮像装置１０は、前述した撮像領域ｒ１１の画像の解析結果に基づく各補助光投光部１３の制御と、他の検出デバイスに基づく各補助光投光部１３の制御を適宜組み合わせてもよい。具体的な一例として、撮像装置１０は、測距センサ（例えば、デプスセンサ）により、各部分領域ｒ２１中に存在する被写体との間の距離を測定し、測定した距離が閾値未満の場合には、当該部分領域ｒ２１に関連付けられた補助光投光部１３から投光される補助光をさらに制限してもよい。なお、このとき、撮像装置１０は、測定した被写体との間の距離に応じて、補助光投光部１３を消灯させてもよいことは言うまでもない。
【０１３３】
＜２．第２の実施形態＞
［２．１．概要］
次に、第２の実施形態に係る撮像装置１０について説明する。前述した第１の実施形態に係る撮像装置１０は、撮像部１５により撮像された撮像領域ｒ１１の画像の輝度分布に基づき、当該撮像領域ｒ１１中の複数の部分領域ｒ２１それぞれに関連付けられた補助光投光部１３から投光される補助光の光量を制御していた。これに対して、本実施形態に係る撮像装置１０は、顔認識技術等のような所定の被写体を検出する技術を利用することで、撮像部１５により撮像された撮像領域ｒ１１の画像から部分領域ｒ２１ごとに被写体を検出し、検出結果に応じて各補助光投光部１３の動作を制御する。
【０１３４】
そこで、図１２〜図１５を参照して、本実施形態に係る撮像装置１０の概要について説明する。図１２〜図１５は、本実施形態に係る撮像装置１０の概要について説明するための説明図である。なお、本説明では、図２に示すように、撮像装置１０は、撮像領域ｒ１１を複数の部分領域ｒ２１ａ及びｒ２１ｂに分割し、当該部分領域ｒ２１ａ及びｒ２１ｂに対して、互いに異なる補助光投光部１３ａ及び１３ｂにより補助光を投光するものとする。また、部分領域ｒ２１ａには、被写体ｕ１１が存在し、部分領域ｒ２１ｂには被写体ｕ１２が存在するものとして説明する。
【０１３５】
本実施形態に係る撮像装置１０は、各部分領域ｒ２１に対して投光される補助光の光量を逐次変化させて、変化させた当該光量ごとに撮像領域ｒ１１の画像を取得し、当該画像を解析することで、部分領域ｒ２１ごとに被写体の検出に係る処理を実行する。例えば、図１２〜図１４は、補助光投光部１３ａ及び１３ｂそれぞれから投光される補助光の光量に応じて撮像される撮像領域ｒ１１の画像の一例を模式的に示している。
【０１３６】
具体的には、図１２は、補助光投光部１３ａ及び１３ｂそれぞれから投光される補助光の光量がより多くなるように制御された場合の一例を示している。図１２に示す例では、部分領域ｒ２１ｂ中の被写体ｕ１２に対して、補助光投光部１３ｂから適切な光量の補助光が投光されている。そのため、撮像装置１０は、撮像された画像中の部分領域ｒ２１ｂの解析結果に基づき、当該画像から被写体ｕ１２を検出することができる。
【０１３７】
これに対して、被写体ｕ１１は、被写体ｕ１２よりも撮像装置１０の近くに位置している。そのため、被写体ｕ１１は、補助光投光部１３ａから投光される補助光により、被写体ｕ１２よりもより明るく照明される。このような状況下では、例えば、撮像された画像中における被写体ｕ１１の領域の輝度が飽和し、撮像装置１０は、当該画像から被写体ｕ１１を検出することが困難となる。
【０１３８】
次に、図１３に示す例について説明する。図１３に示す例は、図１２に示す例よりも、補助光投光部１３ａ及び１３ｂそれぞれから投光される補助光の光量を制限した場合について示している。図１３に示す例では、部分領域ｒ２１ａ中の被写体ｕ１１に対して、補助光投光部１３ａから適切な光量の補助光が投光されている。そのため、撮像装置１０は、撮像された画像中の部分領域ｒ２１ａの解析結果に基づき、当該画像から被写体ｕ１１を検出することができる。
【０１３９】
これに対して、被写体ｕ１２は、被写体ｕ１１よりも撮像装置１０の遠くに位置している。そのため、被写体ｕ１２は、補助光投光部１３ｂから投光される補助光により、被写体ｕ１１よりもより暗く照明される。このような状況下では、撮像装置１０は、例えば、撮像された画像中における被写体ｕ１２の領域を判別するために十分な輝度が得られず、当該画像から被写体ｕ１２を検出することが困難となる。
【０１４０】
次に、図１４に示す例について説明する。図１４に示す例は、図１３に示す例から、さらに、補助光投光部１３ａ及び１３ｂそれぞれから投光される補助光の光量を制限した場合について示している。図１４に示す例は、部分領域ｒ２１ａ中の被写体ｕ１１と、部分領域ｒ２１ｂ中の被写体ｕ１２との双方に対して、十分な光量の補助光が投光されていない状態を示している。そのため、撮像装置１０は、撮像された画像中における被写体ｕ１１及びｕ１２双方の領域を判別するために十分な輝度が得られず、当該画像から被写体ｕ１１及びｕ１２を検出することが困難となる。
【０１４１】
そして、撮像装置１０は、図１２〜図１４に示した各画像の解析結果に基づく、部分領域ｒ２１ごとの被写体の検出結果に応じて、各部分領域ｒ２１に関連付けられた補助光投光部１３から投光される補助光の光量を制御する。図１５は、本実施形態に係る撮像装置１０の概要について説明するための説明図であり、図１２〜図１４に示した各画像の解析結果に基づく、各補助光投光部１３の制御結果の一例を示している。
【０１４２】
前述したように、撮像装置１０は、図１３に示した撮像領域ｒ１１の画像の解析結果に基づき部分領域ｒ２１ａ中の被写体ｕ１１を検出し、その他の画像の解析結果からは当該被写体ｕ１１を検出することが困難であった。そのため、撮像装置１０は、補助光投光部１３ａから部分領域ｒ２１ａに投光される補助光の光量を、図１３に示す画像が撮像されたときの光量（即ち、被写体ｕ１１が検出されたときの光量）に設定する。
【０１４３】
同様に、撮像装置１０は、図１２に示した撮像領域ｒ１１の画像の解析結果に基づき部分領域ｒ２１ｂ中の被写体ｕ１２を検出し、その他の画像の解析結果からは当該被写体ｕ１２を検出することが困難であった。そのため、撮像装置１０は、補助光投光部１３ｂから部分領域ｒ２１ｂに投光される補助光の光量を、図１２に示す画像が撮像されたときの光量（即ち、被写体ｕ１２が検出されたときの光量）に設定する。
【０１４４】
以上のような制御により、撮像装置１０は、図１５に示すように、部分領域ｒ２１ａ中の被写体ｕ１１と、部分領域ｒ２１ｂ中の被写体ｕ１２とのそれぞれに対して、適切な光量の補助光を投光することが可能となる。
【０１４５】
以上、説明したように、本実施形態に係る撮像装置１０は、撮像領域ｒ１１を複数の部分領域ｒ２１に分割し、当該部分領域ｒ２１それぞれに対して、互いに異なる補助光投光部１３を事前に関連付ける。そして、撮像装置１０は、各部分領域ｒ２１それぞれに対して、当該部分領域ｒ２１に関連付けられた補助光投光部１３から補助光を投光することで、当該部分領域ｒ２１ごとに明るさを制御する。
【０１４６】
また、このとき、撮像装置１０は、顔認識技術等のような所定の被写体を検出する技術を利用することで、撮像部１５により撮像された撮像領域ｒ１１の画像から部分領域ｒ２１ごとに被写体を検出し、検出結果に応じて各補助光投光部１３の動作を制御する。
【０１４７】
具体的には、撮像装置１０は、各部分領域ｒ２１に対して投光される補助光の光量を逐次変化させて、変化させた当該光量ごとに撮像領域ｒ１１の画像を取得し、当該画像を解析することで、部分領域ｒ２１ごとに被写体の検出に係る処理を実行する。そして、撮像装置１０は、各部分領域ｒ２１に関連付けられた補助光投光部１３から投光される補助光の光量を、当該部分領域ｒ２１中の被写体が検出されたときの光量に設定する。
【０１４８】
以上のような制御により、本実施形態に係る撮像装置１０は、各部分領域ｒ２１中の被写体それぞれに対して、適切な光量の補助光が投光されるように制御することが可能となる。即ち、本実施形態に係る撮像装置１０は、撮像領域中において明るさにムラがあるような状況下においても、当該明るさのムラを軽減し、より好適な撮像環境を実現することが可能となる。
【０１４９】
また、本実施形態に係る撮像装置１０は、あらかじめ決められた被写体の検出結果に応じて、補助光投光部１３から投光される補助光の光量を制御する。そのため、撮像装置１０は、対象となる被写体とは異なる他の被写体の明るさに依存せずに、検出対象となる被写体が適切な明るさで照明されるように、各補助光投光部１３から投光される補助光の光量を制御することが可能となる。
【０１５０】
なお、撮像装置１０が、各部分領域ｒ２１に対して投光される補助光の光量を逐次変化させ、当該光量を変化させる度に撮像される画像に基づく部分領域ｒ２１中の被写体の検出結果に応じて補助光の光量を特定できれば、その方法は特に限定されない。例えば、撮像装置１０は、補助光の光量を、より明るい設定からより暗い設定（もしくは、より暗い設定からより明るい設定）に走査しながら撮像領域ｒ１１の画像を撮像し、撮像された画像に基づく被写体の検出結果に応じて、補助光の光量を特定してもよい。
【０１５１】
また、前述した例では、説明をわかりやすくするために、撮像装置１０は、各部分領域ｒ２１中の被写体が検出できるか否かを確認する際に、各部分領域ｒ２１に対して同じ光量の補助光を投光していた。しかしながら、撮像装置１０が、部分領域ｒ２１ごとに被写体が検出されるか否かを確認し、当該検出結果に応じて補助光の光量を特定できれば、必ずしも、各部分領域ｒ２１に対して同じ光量の補助光が投光されなくてもよい。
【０１５２】
以上、図１２〜図１５を参照して、本実施形態に係る撮像装置１０の概要について説明した。なお、以降では、本実施形態に係る撮像装置１０について、さらに詳しく説明する。
【０１５３】
［２．２．機能構成］
まず、図１６を参照して、本実施形態に係る撮像装置１０の機能構成の一例について説明する。図１６は、本実施形態に係る撮像装置１０の機能構成の一例を示したブロック図である。
【０１５４】
図１６に示すように、本実施形態に係る撮像装置１０は、制御部２１と、複数の補助光投光部１３と、撮像部１５とを含む。また、制御部２１は、同期制御部２１１と、補助光制御部２１３と、撮像制御部２１５と、解析部２１７とを含む。なお、本実施形態に係る撮像装置１０は、制御部２１中の構成の動作が、前述した第１の実施形態に係る撮像装置１０と一部異なり、各補助光投光部１３と撮像部１５とについては前述した第１の実施形態に係る撮像装置１０と同様である。そのため、本説明では、本実施形態に係る撮像装置１０の構成のうち、特に、前述した第１の実施形態に係る撮像装置１０と異なる部分に着目して説明し、その他の構成については詳細な説明は省略する。
【０１５５】
なお、本説明では、前述した図２〜図６に示す例と同様に、撮像装置１０は、複数の補助光投光部１３として、補助光投光部１３ａ及び１３ｂを含むものとして説明する。また、補助光投光部１３ａは、撮像領域ｒ１１中の部分領域ｒ２１ａに対して補助光を投光するように設けられている（即ち、設置位置、向き、及び補助光の照射角等が設定されている）ものとして説明する。同様に、補助光投光部１３ｂは、撮像領域ｒ１１中の部分領域ｒ２１ｂに対して補助光を投光するように設けられているものとする。
【０１５６】
同期制御部２１１は、前述した第１の実施形態に係る同期制御部１１１と同様である。即ち、同期制御部２１１は、撮像部１５が画像を撮像するタイミングと、複数の補助光投光部１３のそれぞれが補助光を投光するタイミングとを連動させる（例えば、同期させる）ための同期信号を生成する。そして、同期制御部２１１は、生成した同期信号を、後述する撮像制御部２１５と、補助光制御部２１３とに供給する。
【０１５７】
撮像制御部２１５は、前述した第１の実施形態に係る撮像制御部１１５に相当し、撮像部１５の画像の撮像に係る動作を制御する（例えば、撮像タイミング、撮像時間、露出条件等を制御する）ための構成である。
【０１５８】
撮像制御部２１５は、同期制御部２１１から供給される制御信号に同期して、撮像部１５の撮像タイミングを制御する。このとき、撮像制御部２１５は、供給された当該制御信号に基づき、撮像部１５の撮像時間を制御してもよい。このような構成により、撮像制御部２１５は、例えば、補助光投光部１３が補助光を投光するタイミングに同期して、撮像部１５に画像を撮像させることが可能となる。
【０１５９】
また、撮像制御部２１５は、後述する解析部２１７からの指示に基づき、撮像部１５に撮像領域ｒ１１の画像を撮像させ、撮像された当該画像を当該解析部２１７に出力する。なお、このとき撮像部１５が撮像する画像は、後述する解析部２１７が当該画像に対して解析処理（例えば、各部分領域ｒ２１中の被写体の検出に係る処理）を実行できる程度のデータ量を有していれば、当該画像のサイズや解像度は特に限定されない。具体的な一例として、撮像制御部２１５は、撮像部１５に所謂スルー画像（即ち、間引き画像）を撮像させ、当該スルー画像を解析部２１７に出力してもよい。
【０１６０】
解析部２１７は、あらかじめ決められたタイミングで、各補助光投光部１３から、光量を逐次変化させて補助光が投光されるように、後述する補助光制御部２１３に各補助光投光部１３の動作を制御させる。また、解析部２１７は、変化させた当該補助光の光量ごとに、撮像部１５が撮像領域ｒ１１の画像（換言すると、各部分領域ｒ２１の画像）を撮像するように、撮像制御部２１５に撮像部１５の動作を制御させる。そして、解析部２１７は、各補助光投光部１３から投光される補助光の光量ごとに撮像された一連の撮像領域ｒ１１の画像を、撮像制御部２１５から取得する。
【０１６１】
解析部２１７は、取得した一連の撮像領域ｒ１１の画像それぞれを解析することで、部分領域ｒ２１ごとに、当該部分領域ｒ２１中に存在する被写体の検出に係る処理を実行する。
【０１６２】
なお、解析部２１７が、あらかじめ決められた種別の被写体を撮像された画像から検出できれば、検出対象となる被写体の種別や、当該被写体の検出に係る処理の内容（換言すると、被写体の検出方法）は特に限定されない。例えば、検出対象となる被写体が人（即ち、人体）の場合には、解析部２１７は、形状的に特徴のある人の部位（例えば、顔、手、腕等）の検出結果に基づき、画像中の被写体を特定してもよい。
【０１６３】
なお、被写体に対して適切な光量の補助光が投光されていない場合には、解析部２１７は、解析対象となる画像から当該被写体を検出することが困難となる。例えば、被写体に対して投光される補助光の光量が多すぎる場合には、画像中における被写体の輝度が飽和し、解析部２１７は、当該画像から被写体を検出することが困難となる。また、他の一例として、被写体に対して投光される補助光の光量が少なすぎる場合には、解析部２１７は、撮像された画像中における被写体の領域を判別するために十分な輝度が得られず、当該画像から被写体を検出することが困難となる。
【０１６４】
このような特性を利用して、解析部２１７は、取得した一連の撮像領域ｒ１１の画像それぞれに対する被写体の検出に係る処理の実行結果に基づき、部分領域ｒ２１ごとに、当該部分領域ｒ２１中の被写体が検出される場合の補助光の光量を特定する。そして、解析部２１７は、部分領域ｒ２１ごとに特定した補助光の光量を示す情報を、補助光制御部２１３に出力する。
【０１６５】
補助光制御部２１３は、前述した第１の実施形態に係る補助光制御部２１３に相当し、複数の補助光投光部１３（例えば、補助光投光部１３ａ及び１３ｂ）それぞれの、補助光の投光に係る動作を制御する（例えば、補助光投光部１３の発光タイミング、発光時間、及び発光量を制御する）ための構成である。
【０１６６】
補助光制御部２１３は、同期制御部２１１から供給される制御信号に同期して、複数の補助光投光部１３それぞれが補助光を投光するタイミング（即ち、各補助光投光部１３の発光タイミング）を制御する。このような構成により、補助光制御部２１３は、例えば、撮像部１５が画像を撮像するタイミングに同期して、各補助光投光部１３に補助光を投光させることが可能となる。
【０１６７】
また、補助光制御部２１３は、解析部２１７からの指示に応じて、各補助光投光部１３に、投光される補助光の光量を逐次変化させて、変化させた当該光量ごとに補助光を投光させる。
【０１６８】
また、補助光制御部２１３は、解析部２１７により特定された部分領域ｒ２１ごとの補助光の光量を示す情報を、当該解析部２１７から取得する。この場合には、補助光制御部２１３は、部分領域ｒ２１ごとに取得した補助光の光量を示す情報に応じて、当該部分領域ｒ２１に関連付けられた補助光投光部１３から投光される補助光の光量を制御する。
【０１６９】
なお、このとき、補助光制御部２１３は、各補助光投光部１３が投光する補助光の光量を制御できれば、その方法は特に限定されない。このことは、前述した第１の実施形態に係る撮像装置１０の場合と同様である。即ち、補助光制御部２１３は、各補助光投光部１３の発光時間と、当該補助光投光部１３の発光量とのいずれかまたは双方を制御することで、当該補助光投光部１３が投光する補助光の光量を制御してもよい。
【０１７０】
以上のような構成により、本実施形態に係る撮像装置１０は、撮像領域ｒ１１中の部分領域ｒ２１ごとに、当該部分領域ｒ２１に投光される補助光の光量を制御する。このような構成により、本実施形態に係る撮像装置１０は、撮像領域中において明るさにムラがあるような状況下においても、当該明るさのムラを軽減し、より好適な撮像環境を実現することが可能となる。
【０１７１】
なお、撮像装置１０が、各補助光投光部１３から投光される補助光の光量を制御するタイミングは特に限定されない。具体的な一例として、撮像装置１０は、あらかじめ決められたタイミングごとに撮像領域ｒ１１の画像を撮像し、当該画像の解析結果に応じて各補助光投光部１３から投光される補助光の光量を制御してもよい。
【０１７２】
また、他の一例として、撮像装置１０は、あらかじめ決められた処理をトリガとして、当該処理に連動して、各補助光投光部１３から投光される補助光の光量を制御してもよい。具体的な一例として、撮像装置１０は、ユーザ操作に基づき画像の撮像が指示された場合に、当該画像を撮像する直前に、撮像領域ｒ１１のスルー画像を撮像し、当該スルー画像の解析結果に応じて各補助光投光部１３から投光される補助光の光量を制御してもよい。
【０１７３】
なお、図１６では、撮像装置１０が各補助光投光部１３を含む例について説明しているが、撮像装置１０の制御に基づき各補助光投光部１３が動作可能であれば、当該補助光投光部１３は、撮像装置１０の外部に設けられていてもよい。具体的な一例として、補助光投光部１３は、所謂外付けの補助光投光器として構成されていてもよい。
【０１７４】
同様に、撮像部１５は、撮像装置１０の外部に設けられていてもよい。また、撮像部１５のうち、一部の構成を撮像装置１０の外部に設ける構成としてもよい。具体的な一例として、撮像部１５のうち、イメージセンサ等の撮像素子を撮像装置１０に設け、レンズ等の光学系を撮像装置１０の外部に外付けする構成とすることで、当該撮像装置１０を、所謂レンズ交換式の撮像装置として構成してもよい。このことは、前述した第１の実施形態に係る撮像装置１０と同様である。
【０１７５】
以上、図１６を参照して、本実施形態に係る撮像装置１０の機能構成の一例について説明した。
【０１７６】
［２．３．処理］
次に、図１７を参照して、本実施形態に係る撮像装置１０の一連の処理の流れの一例について、特に、当該撮像装置１０が、各補助光投光部１３が投光する補助光の光量を制御する動作に着目して説明する。図１７は、本実施形態に係る撮像装置１０の一連の処理の流れの一例を示したフローチャートである。
【０１７７】
（ステップＳ３０１）
解析部２１７は、あらかじめ決められたタイミングで、各補助光投光部１３から、光量を逐次変化させて補助光が投光されるように、補助光制御部２１３に各補助光投光部１３の動作を制御させる。この解析部２１７からの指示を受けて、補助光制御部２１３は、各補助光投光部１３に、投光される補助光の光量を逐次変化させて、変化させた当該光量ごとに補助光を投光させる。
【０１７８】
また、解析部２１７は、変化させた当該補助光の光量ごとに、撮像部１５が撮像領域ｒ１１の画像（換言すると、各部分領域ｒ２１の画像）を撮像するように、撮像制御部２１５に撮像部１５の動作を制御させる。解析部２１７からの指示を受けて、撮像制御部２１５は、撮像部１５に撮像領域ｒ１１の画像を撮像させ、撮像された当該画像を当該解析部２１７に出力する。以上のようにして、解析部２１７は、各補助光投光部１３から投光される補助光の光量ごとに撮像された一連の撮像領域ｒ１１の画像を、撮像制御部２１５から取得する。
【０１７９】
（ステップＳ３０３）
解析部２１７は、取得した一連の撮像領域ｒ１１の画像それぞれを解析することで、部分領域ｒ２１ごとに、当該部分領域ｒ２１中に存在する被写体の検出に係る処理を実行する。
【０１８０】
（ステップＳ３０５）
そして、解析部２１７は、取得した一連の撮像領域ｒ１１の画像それぞれに対する、被写体の検出に係る処理の実行結果に基づき、部分領域ｒ２１ごとに、当該部分領域ｒ２１中の被写体が検出される場合の補助光の光量を特定する。そして、解析部２１７は、部分領域ｒ２１ごとに特定した補助光の光量を示す情報を、補助光制御部２１３に出力する。
【０１８１】
（ステップＳ３０７）
補助光制御部２１３は、解析部２１７により特定された部分領域ｒ２１ごとの補助光の光量を示す情報を、当該解析部２１７から取得する。補助光制御部２１３は、部分領域ｒ２１ごとに取得した補助光の光量を示す情報に応じて、当該部分領域ｒ２１に関連付けられた補助光投光部１３から投光される補助光の光量を制御する。
【０１８２】
以上のような構成により、本実施形態に係る撮像装置１０は、撮像領域ｒ１１中の部分領域ｒ２１ごとに、当該部分領域ｒ２１に投光される補助光の光量を制御する。このような構成により、本実施形態に係る撮像装置１０は、撮像領域中において明るさにムラがあるような状況下においても、当該明るさのムラを軽減し、より好適な撮像環境を実現することが可能となる。
【０１８３】
以上、図１７を参照して、本実施形態に係る撮像装置１０の一連の処理の流れの一例について、特に、当該撮像装置１０が、各補助光投光部１３が投光する補助光の光量を制御する動作に着目して説明した。
【０１８４】
［２．４．変形例］
次に、本実施形態に係る撮像装置１０の変形例について説明する。前述したように、本実施形態に係る撮像装置１０は、各部分領域ｒ２１に対して投光される補助光の光量を逐次変化させて、変化させた当該光量ごとに撮像領域ｒ１１の画像を取得し、当該画像を解析することで、部分領域ｒ２１ごとに被写体の検出に係る処理を実行する。そして、撮像装置１０は、各部分領域ｒ２１に関連付けられた補助光投光部１３から投光される補助光の光量を、当該部分領域ｒ２１中の被写体が検出されたときの光量に設定する。
【０１８５】
このような構成から、本実施形態に係る撮像装置１０は、各補助光投光部１３から投光される補助光の光量を投光するために複数の画像を撮像する必要があり、逐次的に補助光の光量を調整することが困難な場合がある。
【０１８６】
そこで、本実施形態の変形例として、図１８を参照して、本実施形態に係る撮像装置１０により、逐次的な補助光の光量の調整を可能とする仕組みの一例について説明する。図１８は、本実施形態の変形例に係る撮像装置１０の概要について説明するための説明図である。
【０１８７】
なお、図１８に示す例では、撮像装置１０は、撮像領域ｒ１１を複数の部分領域ｒ２１ａ及びｒ２１ｂに分割し、当該部分領域ｒ２１ａ及びｒ２１ｂに対して、互いに異なる補助光投光部１３ａ及び１３ｂにより補助光を投光するものとする。また、部分領域ｒ２１ａには、被写体ｕ１１が存在し、部分領域ｒ２１ｂには被写体ｕ１２が存在するものとして説明する。
【０１８８】
変形例に係る撮像装置１０は、まず、前述した実施形態で説明した各補助光投光部１３から投光される補助光の光量の調整結果（換言すると、補助光の光量に応じた画像中の被写体の検出結果）に基づき、撮像領域ｒ１１中における被写体の三次元的な位置を推定する。
【０１８９】
具体的な一例として、撮像装置１０は、画像中における被写体の位置に応じて、撮像装置１０から撮像領域ｒ１１側を見た場合における、各被写体の縦方向及び横方向の位置を推定する。
【０１９０】
また、撮像装置１０は、撮像された撮像領域ｒ１１の画像に基づき被写体が検出されたときに当該被写体に対して投光されている補助光の光量に応じて、当該被写体の奥行き方向の位置（換言すると、補助光投光部１３と被写体との間の距離）を推定する。この場合には、奥行き方向の被写体の位置と、当該被写体を検出することが可能となる補助光の光量との間の関係を事前に実験等により確認し、当該関係を示すデータを、撮像装置１０が読み出し可能な領域に記憶させておくとよい。これにより、撮像装置１０は、撮像された撮像領域ｒ１１の画像に基づき被写体が検出されたときの補助光の光量と、当該データとを照合することで、当該被写体の奥行き方向の位置を推定することが可能となる。
【０１９１】
以上のようにして、変形例に係る撮像装置１０は、まず撮像領域ｒ１１中における被写体の三次元的な位置を、部分領域ｒ２１ごとに推定する。
【０１９２】
撮像領域ｒ１１中における被写体の三次元的な位置の推定が完了すると、撮像装置１０は、あらかじめ決められたタイミングごとに撮像領域ｒ１１の画像を時系列に沿って撮像し、所定の期間分の画像を保持する。また、撮像装置１０は、時系列に沿って撮像された画像が所定の期間分保持されると、当該複数の画像を解析することで、撮像領域ｒ１１中における被写体の相対的な位置の変化を算出する。
【０１９３】
なお、撮像装置１０は、例えば、画像中における被写体の位置の変化や、被写体の大きさの変化に応じて、時系列に沿った当該被写体の相対的な位置の変化を算出すればよい。
【０１９４】
そして、撮像装置１０は、補助光の光量の調整結果に基づき推定した被写体の位置と、時系列に沿って撮像された複数の画像に基づき算出した当該被写体の相対的な位置の変化とに基づき、移動後の被写体の位置を、部分領域ｒ２１ごとに特定する。
【０１９５】
具体的には、図１８に示す例において、撮像装置１０が、各補助光投光部１３から投光される補助光の光量を調整する際に、参照符号ｕ１１ａで示した位置に被写体ｕ１１が位置していたものとする。この場合には、撮像装置１０は、部分領域ｒ２１ａに関連付けられた補助光投光部１３ａから投光される補助光の光量の調整結果に基づき、撮像領域ｒ１１中における被写体ｕ１１の三次元的な位置ｕ１１ａを推定する。
【０１９６】
次いで、被写体ｕ１１が、位置ｕ１１ａから、参照符号ｕ１１ｂで示した位置に移動したものとする。このとき、撮像装置１０は、被写体ｕ１１が、位置ｕ１１ａから位置ｕ１１ｂに移動する期間中に時系列に沿って撮像された複数の画像（即ち、撮像領域ｒ１１の画像）を解析することで、位置ｕ１１ａから位置ｕ１１ｂに移動するまでの被写体ｕ１１の相対的な位置の変化を算出する。そして、撮像装置１０は、補助光の光量の調整結果に基づき推定した被写体ｕ１１の位置ｕ１１ａと、時系列に沿って撮像された複数の画像に基づき算出した当該被写体ｕ１１の相対的な位置の変化とに基づき、移動後の被写体ｕ１１の位置ｕ１１ｂを特定する。
【０１９７】
以上のようにして、撮像装置１０は、時系列に沿って、撮像領域ｒ１１中における被写体の位置をトラッキングする。そして、撮像装置１０は、被写体のトラッキングの結果に応じて（即ち、被写体の位置の変化に応じて）、部分領域ｒ２１に関連付けられた補助光投光部１３から投光される補助光の光量を逐次制御する。
【０１９８】
具体的な一例として、撮像装置１０は、図１８に示す例のように、被写体ｕ１１が、位置ｕ１１ａから位置ｕ１１ｂに移動している（即ち、当該撮像装置１０に近づいている）ことを検出したとする。
【０１９９】
前述したように、補助光投光部１３からの距離が互いに異なる被写体に対して同じ光量の補助光が投光された場合には、当該補助光投光部１３のより近くに位置する被写体ほど、より明るく照明される。そのため、図１８に示す例では、撮像装置１０は、位置ｕ１１ａから位置ｕ１１ｂへの被写体ｕ１１の移動に伴い、部分領域ｒ２１ａに投光される補助光の光量がより制限されるように、当該部分領域ｒ２１ａに関連付けられた補助光投光部１３ａを制御する。
【０２００】
また、撮像装置１０は、被写体のトラッキングの結果に基づき、以降の当該被写体の位置の変化を推定し、当該推定結果に応じて、当該被写体が位置する部分領域ｒ２１に関連付けられた補助光投光部１３から投光される補助光の光量を制御してもよい。
【０２０１】
具体的な一例として、撮像装置１０は、位置ｕ１１ａから位置ｕ１１ｂに向けた被写体ｕ１１の位置の変化に基づき、その後、当該被写体ｕ１１が、位置ｕ１１ｂから位置ｕ１１ｃに移動することを推定してもよい。具体的な一例として、撮像装置１０は、位置ｕ１１ａから位置ｕ１１ｂに向けて移動する被写体ｕ１１の移動速度や移動方向の変化に基づき、以降に当該被写体ｕ１１が移動する位置ｕ１１ｃを推定すればよい。
【０２０２】
この場合には、撮像装置１０は、当該位置の変化の推定結果に基づき、被写体ｕ１１が位置ｕ１１ｃに移動するタイミングにあわせて、当該位置ｕ１１ｃにおいて適切な光量の補助光が被写体ｕ１１に投光されるように、補助光投光部１３ａの動作を制御すればよい。
【０２０３】
このような構成に基づき、変形例に係る撮像装置１０は、撮像領域ｒ１１中を移動する被写体の位置をトラッキングし、トラッキング結果に応じて、当該被写体が位置する部分領域ｒ２１に投光される補助光の光量を制御する。そのため、変形例に係る撮像装置１０は、時系列に沿って被写体の位置が変化する状況下においても、時系列に沿って逐次撮像された画像に基づき、被写体の位置の変化に応じて逐次的に補助光の光量を調整することが可能となる。
【０２０４】
なお、上記に示す例では、撮像装置１０は、各補助光投光部１３から投光される補助光の光量の調整結果に基づき、撮像領域ｒ１１中における被写体の三次元的な位置を推定していた。一方で、撮像装置１０が、撮像領域ｒ１１中における被写体の三次元的な位置を推定できれば、必ずしもその方法は、上記に示した各補助光投光部１３から投光される補助光の光量の調整結果に基づく方法には限定されない。具体的な一例として、撮像装置１０は、測距センサ（例えば、デプスセンサ）の検出結果に基づき、撮像領域ｒ１１中における被写体の三次元的な位置を推定してもよい。
【０２０５】
また、他の一例として、撮像装置１０は、前述した第１の実施形態に係る撮像装置１０と同様に、部分領域ｒ２１ごとの輝度分布に応じた補助光の光量の調整結果に基づき、撮像領域ｒ１１中における被写体の三次元的な位置を推定してもよい。
【０２０６】
以上、本実施形態に係る撮像装置１０の変形例として、図１８を参照して、本実施形態に係る撮像装置１０により、逐次的な補助光の光量の調整を可能とする仕組みの一例について説明した。
【０２０７】
［２．５．まとめ］
以上、説明したように、本実施形態に係る撮像装置１０は、撮像領域ｒ１１を複数の部分領域ｒ２１に分割し、当該部分領域ｒ２１それぞれに対して、互いに異なる補助光投光部１３を事前に関連付ける。そして、撮像装置１０は、各部分領域ｒ２１それぞれに対して、当該部分領域ｒ２１に関連付けられた補助光投光部１３から補助光を投光することで、当該部分領域ｒ２１ごとに明るさを制御する。
【０２０８】
また、このとき、撮像装置１０は、顔認識技術等のような所定の被写体を検出する技術を利用することで、撮像部１５により撮像された撮像領域ｒ１１の画像から部分領域ｒ２１ごとに被写体を検出し、検出結果に応じて各補助光投光部１３の動作を制御する。
【０２０９】
具体的には、撮像装置１０は、各部分領域ｒ２１に対して投光される補助光の光量を逐次変化させて、変化させた当該光量ごとに撮像領域ｒ１１の画像を取得し、当該画像を解析することで、部分領域ｒ２１ごとに被写体の検出に係る処理を実行する。そして、撮像装置１０は、各部分領域ｒ２１に関連付けられた補助光投光部１３から投光される補助光の光量を、当該部分領域ｒ２１中の被写体が検出されたときの光量に設定する。
【０２１０】
以上のような制御により、本実施形態に係る撮像装置１０は、各部分領域ｒ２１中の被写体それぞれに対して、適切な光量の補助光が投光されるように制御することが可能となる。即ち、本実施形態に係る撮像装置１０は、撮像領域中において明るさにムラがあるような状況下においても、当該明るさのムラを軽減し、より好適な撮像環境を実現することが可能となる。
【０２１１】
また、本実施形態に係る撮像装置１０は、あらかじめ決められた被写体の検出結果に応じて、補助光投光部１３から投光される補助光の光量を制御する。そのため、撮像装置１０は、対象となる被写体とは異なる他の被写体の明るさに依存せずに、検出対象となる被写体が適切な明るさで照明されるように、各補助光投光部１３から投光される補助光の光量を制御することが可能となる。
【０２１２】
なお、本実施形態に係る撮像装置１０を、前述した第１の実施形態の変形例１に示した情報処理装置７０の撮像装置として適用してもよいことは言うまでもない。
【０２１３】
また、本実施形態に係る撮像装置１０に対して、前述した第１の実施形態の変形例２及び３に示した撮像装置１０の制御を適用してもよい。即ち、本実施形態に係る撮像装置１０を、一の部分領域ｒ２１に対して複数の補助光投光部１３が補助光を投光する構成とし、当該撮像装置１０は、各補助光投光部１３から投光される補助光の光量を、前述した第１の実施形態の変形例２及び３に示すように制御してもよい。
【０２１４】
＜３．ハードウェア構成＞
次に、図１９を参照して、本開示の各実施形態に係る撮像装置１０のハードウェア構成の一例について説明する。図１９は、本開示の各実施形態に係る撮像装置１０のハードウェア構成の一例を示した図である。
【０２１５】
図１９に示すように、本実施形態に係る撮像装置１０は、プロセッサ９０１と、メモリ９０３と、ストレージ９０５と、通信デバイス９１１と、光源ユニット９１３と、撮像デバイス９１５と、バス９１７とを含む。また、撮像装置１０は、操作デバイス９０７と、報知デバイス９０９とを含んでもよい。
【０２１６】
プロセッサ９０１は、例えばＣＰＵ（Central  Processing  Unit）、ＧＰＵ（Graphics  Processing  Unit）、ＤＳＰ（Digital  Signal  Processor）又はＳｏＣ（System  on  Chip）であってよく、撮像装置１０の様々な処理を実行する。プロセッサ９０１は、例えば、各種演算処理を実行するための電子回路により構成することが可能である。なお、前述した制御部１１及び２１の各構成は、プロセッサ９０１により実現され得る。
【０２１７】
メモリ９０３は、ＲＡＭ（Random  Access  Memory）及びＲＯＭ（Read  Only  Memory）を含み、プロセッサ９０１により実行されるプログラム及びデータを記憶する。ストレージ９０５は、半導体メモリ又はハードディスクなどの記憶媒体を含み得る。
【０２１８】
操作デバイス９０７は、ユーザが所望の操作を行うための入力信号を生成する機能を有する。操作デバイス９０７は、例えばボタン及びスイッチなどユーザが情報を入力するための入力部と、ユーザによる入力に基づいて入力信号を生成し、プロセッサ９０１に供給する入力制御回路などから構成されてよい。
【０２１９】
報知デバイス９０９は、出力デバイスの一例であり、例えば、液晶ディスプレイ（ＬＣＤ：Liquid  Crystal  Display）装置、有機ＥＬ（ＯＬＥＤ：Organic  Light  Emitting  Diode）ディスプレイなどのデバイスであってよい。この場合には、報知デバイス９０９は、画面を表示することにより、ユーザに対して所定の情報を報知することができる。
【０２２０】
また、他の一例として、報知デバイス９０９は、ＬＥＤ（Light  Emitting  Diode）のように、点灯又は点滅のパターンにより、所定の情報をユーザに報知するデバイスであってもよい。また、報知デバイス９０９は、スピーカ等のように、所定の音響信号を出力することで、所定の情報をユーザに報知するデバイスであってもよい。
【０２２１】
通信デバイス９１１は、本開示の実施形態に係る撮像装置１０が備える通信手段であり、ネットワークを介して外部装置と通信する。通信デバイス９１１は、有線または無線用の通信インタフェースである。通信デバイス９１１を、無線通信インタフェースとして構成するバイには、当該通信デバイス９１１は、通信アンテナ、ＲＦ（Radio  Frequency）回路、ベースバンドプロセッサなどを含んでもよい。
【０２２２】
通信デバイス９１１は、外部装置から受信した信号に各種の信号処理を行う機能を有し、受信したアナログ信号から生成したデジタル信号をプロセッサ９０１に供給することが可能である。
【０２２３】
光源ユニット９１３は、補助光を投光するためのユニットであり、あらかじめ決められた波長の光（例えば、赤外線）を出射可能に構成されている。光源ユニット９１３は、例えば、ＬＥＤ（Light  Emitting  Diode）からなる。もちろん、光源ユニット９１３は、あらかじめ決められた波長の光を出射可能に構成されていれば、必ずしも、ＬＥＤに限定されないことは言うまでもない。なお、前述した補助光投光部１３は、光源ユニット９１３により実現され得る。
【０２２４】
撮像デバイス９１５は、ＣＭＯＳ（Complementary  Metal-Oxide  Semiconductor）イメージセンサやＣＣＤ（Charge  Coupled  Device）イメージセンサ等の、被写体を撮像し、撮像画像のデジタルデータを得る撮像素子を含む。即ち、撮像デバイス９１５は、プロセッサ９０１の制御に従い、レンズを介して静止画像又は動画像を撮影する機能を有する。撮像デバイス９１５は、撮像した画像をメモリ９０３やストレージ９０５に記憶させてもよい。なお、前述した撮像部１５は、撮像デバイス９１５により実現され得る。
【０２２５】
バス９１７は、プロセッサ９０１、メモリ９０３、ストレージ９０５、操作デバイス９０７、報知デバイス９０９、通信デバイス９１１、光源ユニット９１３、及び撮像デバイス９１５を相互に接続する。バス９１７は、複数の種類のバスを含んでもよい。
【０２２６】
また、コンピュータに内蔵されるプロセッサ、メモリ、及びストレージなどのハードウェアを、上記した撮像装置１０が有する構成と同等の機能を発揮させるためのプログラムも作成可能である。また、当該プログラムを記録した、コンピュータに読み取り可能な記憶媒体も提供され得る。
【０２２７】
＜４．まとめ＞
以上説明したように、本開示の各実施形態に係る撮像装置１０は、撮像領域ｒ１１を複数の部分領域ｒ２１に分割し、当該部分領域ｒ２１それぞれに対して、互いに異なる補助光投光部１３を事前に関連付ける。そして、撮像装置１０は、各部分領域ｒ２１それぞれに対して、当該部分領域ｒ２１に関連付けられた補助光投光部１３から補助光を投光することで、当該部分領域ｒ２１ごとに明るさを制御する。また、このとき、撮像装置１０は、撮像された撮像領域ｒ１１の画像の解析結果に応じて、部分領域ｒ２１ごとに、当該部分領域ｒ２１に関連付けられた補助光投光部１３から投光される補助光の光量を制御する。このような構成により、本開示の各実施形態に係る撮像装置１０は、撮像領域中において明るさにムラがあるような状況下においても、当該明るさのムラを軽減し、より好適な撮像環境を実現することが可能となる。
【０２２８】
なお、上述した説明では、本開示の各実施形態に係る撮像装置１０が、所謂デジタルカメラのような撮像装置として構成されている場合を例に説明したが、必ずしも撮像装置１０の構成を限定するものではない。具体的な一例として、撮像装置１０は、所謂監視カメラとして構成されていてもよい。また、他の一例として、撮像装置１０は、テレビジョン装置等の各種装置が、所定の領域中のユーザを検出するために、当該領域の画像を撮像するための構成であってもよい。
【０２２９】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０２３０】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０２３１】
なお、以下のような構成も本開示の技術的範囲に属する。
（１）
撮像部により撮像された画像を取得する取得部と、
取得された前記画像の解析結果に基づいて、複数の補助光投光部のうち、前記撮像部の画角に基づき決定される撮像領域中の複数の部分領域それぞれにあらかじめ関連付けられた前記補助光投光部が投光する補助光の光量を制御する制御部と、
を備える、制御装置。
（２）
前記制御部は、前記部分領域に対応する、取得された前記画像中の領域の輝度分布に応じて、当該部分領域にあらかじめ関連付けられた前記補助光投光部が投光する前記補助光の光量を制御する、前記（１）に記載の制御装置。
（３）
前記制御部は、前記画像の解析結果に基づく、前記部分領域に位置する被写体の検出結果に応じて、当該部分領域にあらかじめ関連付けられた前記補助光投光部が投光する前記補助光の光量を制御する、前記（１）に記載の制御装置。
（４）
前記制御部は、前記部分領域に関連付けられた前記補助光投光部から投光される前記補助光の光量を逐次変化させ、当該光量の変化に応じて取得される前記画像の解析結果に基づく、当該部分領域に位置する前記被写体の検出結果に応じて、当該補助光投光部が投光する前記補助光の光量を決定する、前記（３）に記載の制御装置。
（５）
前記被写体は人体であり、
前記制御部は、前記部分領域に位置する前記人体の少なくとも一部の部位の検出結果に応じて、当該部分領域にあらかじめ関連付けられた前記補助光投光部が投光する前記補助光の光量を制御する、前記（３）または（４）に記載の制御装置。
（６）
前記制御部は、前記補助光投光部の発光時間に基づき、当該補助光投光部から投光される前記補助光の光量を制御する、前記（１）〜（５）のいずれか一項に記載の制御装置。
（７）
前記制御部は、前記補助光投光部の発光量に基づき、当該補助光投光部から投光される前記補助光の光量を制御する、前記（１）〜（６）のいずれか一項に記載の制御装置。
（８）
前記制御部は、前記部分領域にあらかじめ関連付けられた複数の前記補助光投光部それぞれから投光される前記補助光の光量を制御する、前記（１）〜（７）のいずれか一項に記載の制御装置。
（９）
前記制御部は、前記部分領域に位置する被写体と、当該部分領域に関連付けられた前記複数の補助光投光部それぞれとの間の相対的な位置関係に応じて、当該被写体と当該複数の補助光投光部それぞれとの間の距離を推定し、当該距離の推定結果に応じて、当該複数の補助光投光部それぞれから投光される前記補助光の光量を制御する、前記（８）に記載の制御装置。
（１０）
前記制御部は、前記部分領域に位置する被写体に対して、当該部分領域に関連付けられた前記複数の補助光投光部から前記補助光が投光されることで形成される当該被写体の影それぞれを、前記画像から抽出し、抽出された当該被写体の影それぞれの濃度に応じて、当該複数の補助光投光部それぞれから投光される前記補助光の光量を制御する、前記（８）に記載の制御装置。
（１１）
前記制御部は、抽出された当該被写体の影それぞれの濃度の差が閾値以下となるように、前記複数の補助光投光部それぞれから投光される前記補助光の光量を制御する、前記（１０）に記載の制御装置。
（１２）
前記制御部は、時系列に沿って取得された複数の前記画像の解析結果に基づき、当該時系列に沿った前記部分領域中の被写体の位置の変化を推定し、当該推定結果に応じて当該部分領域にあらかじめ関連付けられた前記補助光投光部が投光する前記補助光の光量を制御する、前記（１）〜（１１）のいずれか一項に記載の制御装置。
（１３）
前記制御部は、あらかじめ推定された前記部分領域中における前記被写体の位置と、所定の期間中に時系列に沿って取得された複数の前記画像間における当該画像中の前記被写体の変化とに応じて、当該部分領域中の当該被写体の位置の変化を推定する、前記（１２）に記載の制御装置。
（１４）
前記制御部は、前記部分領域中の被写体と、当該部分領域にあらかじめ関連付けられた前記補助光投光部との間の距離が閾値未満となった場合には、当該補助光投光部からの前記補助光の投光を抑制する、前記（１）〜（１３）のいずれか一項に記載の制御装置。
（１５）
前記複数の補助光投光部のうち、少なくともいずれかを備える、前記（１）〜（１４）のいずれか一項に記載の制御装置。
（１６）
前記撮像部を備える、前記（１）〜（１５）のいずれか一項に記載の制御装置。
（１７）
撮像部により撮像された画像を取得することと、
プロセッサが、取得された前記画像の解析結果に基づいて、複数の補助光投光部のうち、前記撮像部の画角に基づき決定される撮像領域中の複数の部分領域それぞれにあらかじめ関連付けられた前記補助光投光部が投光する補助光の光量を制御することと、
を含む、制御方法。
（１８）
コンピュータに、
撮像部により撮像された画像を取得することと、
取得された前記画像の解析結果に基づいて、複数の補助光投光部のうち、前記撮像部の画角に基づき決定される撮像領域中の複数の部分領域それぞれにあらかじめ関連付けられた前記補助光投光部が投光する補助光の光量を制御することと、
を実行させる、プログラム。
【符号の説明】
【０２３２】
１０    撮像装置
１１    制御部
１１１  同期制御部
１１３  補助光制御部
１１５  撮像制御部
１１７  解析部
１３    補助光投光部
１５    撮像部
２１    制御部
２１１  同期制御部
２１３  補助光制御部
２１５  撮像制御部
２１７  解析部
７０    情報処理装置
【図１】
2016050972.tif 000003
【図２】
2016050972.tif 000004
【図３】
2016050972.tif 000005
【図４】
2016050972.tif 000006
【図５】
2016050972.tif 000007
【図６】
2016050972.tif 000008
【図７】
2016050972.tif 000009
【図８】
2016050972.tif 000010
【図９】
2016050972.tif 000011
【図１０】
2016050972.tif 000012
【図１１】
2016050972.tif 000013
【図１２】
2016050972.tif 000014
【図１３】
2016050972.tif 000015
【図１４】
2016050972.tif 000016
【図１５】
2016050972.tif 000017
【図１６】
2016050972.tif 000018
【図１７】
2016050972.tif 000019
【図１８】
2016050972.tif 000020
【図１９】
2016050972.tif 000021